(57)【特許請求の範囲】
【請求項１】
複数の鍵と、前記複数の鍵の後端部を支持する鍵フレームとを備えて、前記複数の鍵の押離鍵操作時に前記複数の鍵の前端部を上下方向に搖動させるようにした鍵盤装置において、
各鍵に鍵側ガイド部材を設けるとともに、前記鍵フレームに前記各鍵側ガイド部材に対応したフレーム側ガイド部材を設けてなり、
前記各鍵側ガイド部材及び前記各フレーム側ガイド部材の一方のガイド部材は、前後方向に延設された左右外側面を備えるとともに、前後方向の一方の端面に前後方向に延設された左右内側面を有する溝を備え、
前記各鍵側ガイド部材及び前記各フレーム側ガイド部材の他方のガイド部材は、左右内側面を前記一方のガイド部材の左右外側面に対向させて前記一方のガイド部材を侵入させる左右側壁を備えるとともに、前記左右側壁の間にて前後方向に延設された左右外側面を有して前記溝の左右内側面に左右外側面を対向させて前記溝内に侵入する突出部を備え、
前記一方のガイド部材の溝と前記他方のガイド部材の突出部との間に所定のクリアランスを有し、前記一方のガイド部材の溝と前記他方のガイド部材の突出部とで、前記押離鍵操作時に前記鍵の上下方向の揺動をガイドするキーガイド部を構成し、
前記他方のガイド部材の左右側壁と前記一方のガイド部材の左右外側面との間に前記所定のクリアランスよりも大きなクリアランスを有し、前記他方のガイド部材の左右側壁と前記一方のガイド部材の左右外側面とで、前記鍵の前記鍵フレームへの組付け時に、前記鍵の前記鍵フレームに対する左右方向位置を規制して、前記キーガイド部が前記押離鍵操作時に鍵の上下方向の揺動をガイドする状態になる前まで、前記鍵の前記鍵フレームへの組付け操作をガイドするプレガイド部を構成し、かつ
前記鍵の前記鍵フレームへの組付け時において前記突出部の前記溝内へ侵入する側の端部は、前記鍵の前記鍵フレームへの組付け時において前記左右側壁の前記一方のガイド部材を侵入させる側の端部に対して、前記突出部の前記溝内へ侵入する方向とは反対方向に所定の距離だけ離れて位置するようにしたことを特徴とする鍵盤装置。
【請求項２】
請求項１に記載の鍵盤装置において、
前記鍵の前記鍵フレームへの組付け時において前記他方のガイド部材の左右側壁内へ侵入する側の前記一方のガイド部材の左右外側面の端部に、その左右両端部を切欠いた傾斜面を設けるか、又は
前記鍵の前記鍵フレームへの組付け時において前記一方のガイド部材を侵入させる側の前記他方のガイド部材の左右側壁の端部に、その左右内側面部を切欠いた傾斜面を設けたことを特徴とする鍵盤装置。
【請求項３】
請求項１又は２に記載の鍵盤装置において、
前記鍵の前記鍵フレームへの組付け時において前記溝へ侵入する側の前記突出部の端部に、その左右両端部を切欠いた傾斜面を設けるか、又は
前記鍵の前記鍵フレームへの組付け時において前記突出部を侵入させる側の前記溝の端部に、その左右内側面部を切欠いた傾斜面を設けたことを特徴とする鍵盤装置。
【発明の詳細な説明】
【技術分野】
【０００１】
本発明は、複数の鍵の後端部を鍵フレームにそれぞれ支持させて複数の鍵の前端部を上下方向に搖動可能とする鍵盤装置に関する。
【背景技術】
【０００２】
従来から、複数の鍵の後端部を鍵フレームにそれぞれ支持させて複数の鍵の前端部を上下方向に搖動可能とする鍵盤装置において、複数の鍵の揺動時における前端部の横振れを防止するために、複数の鍵の上下方向の搖動をガイドすることはよく知られている。例えば、下記特許文献１には、鍵の前壁の内側面から後方に突出させた平板状の鍵側ガイド部材を設けるとともに、鍵フレームの上面の鍵側ガイド部材と対向する位置に、前側を開放させて横断面形状をＵ字状とする左右側面壁を有するフレーム側ガイド部材を上方に突出させ、鍵側ガイド部材をフレーム側ガイド部材の左右側面壁間に侵入させるようにした鍵ガイド機構が示されている。
【先行技術文献】
【特許文献】
【０００３】
【特許文献１】特開２００７−２６４０５７号公報
【発明の概要】
【０００４】
しかし、上記従来の鍵盤装置においては、鍵側ガイド部材とフレーム側ガイド部材との間のクリアランスが小さく設定されているために、鍵を鍵フレームに組付ける作業が難しかった。特に、複数の鍵を一体形成した場合には、複数の鍵を鍵フレームに同時に組付けることが難しかった。また、鍵側ガイド部材をフレーム側ガイド部材に無理に押し込んだ場合には、鍵側ガイド部材とフレーム側ガイド部材が互いに干渉して、鍵側ガイド部材及びフレーム側ガイド部材が変形してしまうという問題もあった。
【０００５】
本発明は、このような問題に対処するためになされたもので、その目的は、鍵を鍵フレームに組付け易くするとともに、この組付け易さにより鍵側ガイド部材及びフレーム側ガイド部材の変形を防止するようにした鍵盤装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、複数の鍵（２１，３１，４１）と、複数の鍵の後端部を支持する鍵フレーム（１０）とを備えて、複数の鍵の押離鍵操作時に複数の鍵の前端部を上下方向に搖動させるようにした鍵盤装置において、各鍵に鍵側ガイド部材を設けるとともに、鍵フレームに各鍵側ガイド部材に対応したフレーム側ガイド部材を設けてなり、各鍵側ガイド部材及び各フレーム側ガイド部材の一方のガイド部材（１４）は、前後方向に延設された左右外側面（１４ｃ，１４ｄ）を備えるとともに、前後方向の一方の端面に前後方向に延設された左右内側面を有する溝（１４ｆ）を備え、各鍵側ガイド部材及び各フレーム側ガイド部材の他方のガイド部材（２４，３４，４５）は、左右内側面を一方のガイド部材の左右外側面に対向させて一方のガイド部材を侵入させる左右側壁（２４ｂ，２４ｃ，３４ｂ，３４ｃ，４５ｂ，４５ｃ）を備えるとともに、左右側壁の間にて前後方向に延設された左右外側面を有して溝の左右内側面に左右外側面を対向させて溝内に侵入する突出部（２４ｄ，２４ｄ’，３４ｄ，３４ｄ’，４５ｄ，４５ｄ’）を備え、一方のガイド部材の溝と他方のガイド部材の突出部との間に所定のクリアランスを有し、一方のガイド部材の溝と他方のガイド部材の突出部とで、押離鍵操作時に鍵の上下方向の揺動をガイドするキーガイド部を構成し、他方のガイド部材の左右側壁と一方のガイド部材の左右外側面との間に前記所定のクリアランスよりも大きなクリアランスを有し、他方のガイド部材の左右側壁と一方のガイド部材の左右外側面とで、鍵の鍵フレームへの組付け時に、鍵の鍵フレームに対する左右方向位置を規制して、キーガイド部が押離鍵操作時に鍵の上下方向の揺動をガイドする状態になる前まで、鍵の鍵フレームへの組付け操作をガイドするプレガイド部を構成し、かつ鍵の鍵フレームへの組付け時において突出部の溝内へ侵入する側の端部は、鍵の鍵フレームへの組付け時において左右側壁の一方のガイド部材を侵入させる側の端部に対して、突出部の溝内へ侵入する方向とは反対方向に所定の距離だけ離れて位置するようにしたことにある。
この場合、一方のガイド部材及び溝の横断面形状はそれぞれ長方形状であり、他方のガイド部材は、左右側壁の一端を接続する接続壁（２４ａ，３４ａ，４５ａ）を有し、突出部を接続壁から左右側壁の延設方向に突出させるとよい。
【０００７】
前記のように構成した本発明の特徴においては、鍵を鍵フレームに組付ける際には、鍵の後端部が前端部よりも上方に位置するように鍵を傾斜させた状態で鍵を鍵フレームに近づけた後、鍵側ガイド部材を前方又は上方からフレーム側ガイド部材に係合させる。鍵側ガイド部材を前方からフレーム側ガイド部材に係合させる場合、鍵を前記傾斜させた状態のまま後方に移動して、鍵の左右方向の位置を調整しながら鍵側ガイド部材をフレーム側ガイド部材に前方から接近させ、最初にプレガイド部にて鍵側ガイド部材をフレーム側ガイド部材に係合させながら、鍵をさらに後方に移動する。そして、キーガイド部が押離鍵操作時に鍵の上下方向の揺動をガイドする状態になる前において、鍵を左右方向に若干移動させて、キーガイド部にて鍵側ガイド部材をフレーム側に係合させた後、鍵をさらに後方に移動するとともに、鍵の後端部を下方に移動して鍵を鍵フレームに組付ける。一方、鍵側ガイド部材を上方からフレーム側ガイド部材に係合させる場合、鍵の左右方向の位置を調整しながら鍵の後端部を下方に移動して、鍵側ガイド部材をフレーム側ガイド部材に上方から接近させ、最初にプレガイド部にて鍵側ガイド部材をフレーム側ガイド部材に係合させながら、鍵の後端部をさらに下方に移動する。そして、キーガイド部が押離鍵操作時に鍵の上下方向の揺動をガイドする状態になる前において、鍵を左右方向に若干移動させて、キーガイド部にて鍵側ガイド部材をフレーム側ガイド部材に係合させた後、鍵の後端部をさらに下方に移動するとともに、鍵を後方に移動して鍵を鍵フレームに組付ける。
【０００８】
このようにして鍵が鍵フレームに組付けられる鍵盤装置においては、プレガイド部のクリアランスはキーガイド部のクリアランスよりも大きく、プレガイド部のクリアランスをある程度大きくできるので、プレガイド部にて鍵側ガイド部材をフレーム側ガイド部材に係合させることは簡単な操作である。そして、キーガイド部が押離鍵操作時に鍵の上下方向の揺動をガイドする状態になる前において、鍵側ガイド部材の左右方向の位置はプレガイド部によって規制されている。したがって、キーガイド部にて鍵側ガイド部材をフレーム側ガイド部材に係合させるための鍵の左右方向の位置の調整量を小さくでき、キーガイド部にて鍵側ガイド部材をフレーム側ガイド部材に係合させる操作も簡単になる。その結果、本発明の特徴によれば、押離鍵操作時における鍵の横振れを防止するためにキーガイド部のクリアランスを小さくしても、鍵を鍵フレームに組付ける作業が簡単になる。そして、この組付け易さによりキーガイド部を構成する部材の変形も防止される。
【００１１】
また、本発明の他の特徴は、鍵の鍵フレームへの組付け時において他方のガイド部材の左右側壁内へ侵入する側の一方のガイド部材の左右外側面の端部に、その左右両端部を切欠いた傾斜面（１４ｇ，１４ｈ，１４ｍ，１４ｎ）を設けるか、又は鍵の鍵フレームへの組付け時において一方のガイド部材を侵入させる側の他方のガイド部材の左右側壁の端部に、その左右内側面部を切欠いた傾斜面（２４ｅ、２４ｆ，３４ｅ，３４ｆ，４５ｅ，４５ｆ，２４ｉ、２４ｊ，３４ｉ，３４ｊ，４５ｉ，４５ｊ）を設けたことにある。
【００１２】
前記本発明の他の特徴においては、一方のガイド部材の左右外側面の端部又は他方のガイド部材の左右側壁の端部に設けた傾斜面は、一方のガイド部材の左右外側面が他方のガイド部材の左右側壁内に侵入する前のサブガイド機能を発揮する。したがって、この本発明の他の特徴によれば、鍵の鍵フレームへの組付け時において、プレガイド部にて鍵側ガイド部材をフレーム側ガイド部材に係合させる操作がより簡単になる。また、プレガイド部のクリアランスを小さくしてキーガイド部のクリアランスとの差を小さくしても、プレガイド部にて鍵側ガイド部材をフレーム側ガイド部材に簡単に係合させることができる。そして、この場合には、キーガイド部にて鍵側ガイド部材をフレーム側ガイド部材に係合させる際における鍵の左右方向の調整量を小さくすることができ、キーガイド部にて鍵側ガイド部材をフレーム側ガイド部材に係合させる操作がより簡単になる。
【００１３】
また、本発明の他の特徴は、鍵の鍵フレームへの組付け時において溝へ侵入する側の突出部の端部に、その左右両端部を切欠いた傾斜面（２４ｇ、２４ｈ，３４ｇ，３４ｈ，４５ｇ，４５ｈ、２４ｍ，２４ｎ，３４ｍ，３４ｎ，４５ｍ，４５ｎ）を設けるか、又は鍵の鍵フレームへの組付け時において突出部を侵入させる側の溝の端部に、その左右内側面部を切欠いた傾斜面（１４ｉ，１４ｊ，１４ｏ，１４ｐ）を設けたことにある。
【００１４】
前記本発明の他の特徴においては、突出部の端部又は溝の端部に設けた傾斜面は、突出部が溝に侵入する前のサブガイド機能を発揮する。したがって、この本発明の他の特徴によれば、鍵の鍵フレームへの組付け時において、キーガイド部のクリアランスを極めて小さくしても、突出部を溝内に侵入させる操作がより簡単になる。特に、傾斜面の左右方向の幅を、プレガイド部のクリアランスからキーガイド部のクリアランスを減算した値よりも大きくしておけば、キーガイド部にて鍵側ガイド部材をフレーム側ガイド部材に係合させるための鍵の左右方向の位置調整が不要となり、突出部を溝内に侵入させる操作が極めて簡単になる。
【図面の簡単な説明】
【００１５】
【図１】本発明の第１乃至第３実施形態に係る１オクターブ分の鍵を含む鍵盤装置の概略斜視図である。
【図２】図１の鍵盤装置の平面図である。
【図３】図１の鍵盤装置の正面図である。
【図４】図２のＡ−Ａ線に沿って見た鍵盤装置の拡大端面図である。
【図５】図２のＢ部の拡大図である。
【図６】（Ａ）は図１乃至図４の第１鍵ユニットの平面図であり、（Ｂ）は前記第１鍵ユニットの正面図であり、（Ｃ）は前記第１鍵ユニットの側面図である。
【図７】（Ａ）は図１乃至図４の第２鍵ユニットの平面図であり、（Ｂ）は前記第２鍵ユニットの正面図であり、（Ｃ）は前記第２鍵ユニットの側面図である。
【図８】（Ａ）は図１乃至図４の第３鍵ユニットの平面図であり、（Ｂ）は前記第３鍵ユニットの正面図であり、（Ｃ）は前記第３鍵ユニットの側面図である。
【図９】（Ａ）は第１実施形態に係る鍵側ガイド部材とフレーム側ガイド部材の斜視図であり、（Ｂ）は前記鍵側ガイド部材とフレーム側ガイド部材の平面図であり、（Ｃ）は第１乃至第３鍵ユニットを鍵フレームに組付ける過程における前記鍵側ガイド部材とフレーム側ガイド部材の平面図である。
【図１０】（Ａ）は第１実施形態の第１変形例に係る鍵側ガイド部材とフレーム側ガイド部材の平面図であり、（Ｂ）（Ｃ）は第１乃至第３鍵ユニットを鍵フレームに組付ける過程における前記鍵側ガイド部材とフレーム側ガイド部材の平面図である。
【図１１】（Ａ）は第１実施形態の第２変形例に係る鍵側ガイド部材とフレーム側ガイド部材の平面図であり、（Ｂ）（Ｃ）は第１乃至第３鍵ユニットを鍵フレームに組付ける過程における前記鍵側ガイド部材とフレーム側ガイド部材の平面図である。
【図１２】（Ａ）は第１実施形態の第３変形例に係る鍵側ガイド部材とフレーム側ガイド部材の平面図であり、（Ｂ）（Ｃ）は第１乃至第３鍵ユニットを鍵フレームに組付ける過程における前記鍵側ガイド部材とフレーム側ガイド部材の平面図である。
【図１３】（Ａ）は第２実施形態に係る鍵側ガイド部材とフレーム側ガイド部材の平面図であり、（Ｂ）は第１乃至第３鍵ユニットを鍵フレームに組付ける過程における前記鍵側ガイド部材とフレーム側ガイド部材の平面図である。
【図１４】（Ａ）は第２実施形態の第１変形例に係る鍵側ガイド部材とフレーム側ガイド部材の平面図であり、（Ｂ）は第１乃至第３鍵ユニットを鍵フレームに組付ける過程における前記鍵側ガイド部材とフレーム側ガイド部材の平面図である。
【図１５】（Ａ）は第２実施形態の第２変形例に係る鍵側ガイド部材とフレーム側ガイド部材の平面図であり、（Ｂ）は第１乃至第３鍵ユニットを鍵フレームに組付ける過程における前記鍵側ガイド部材とフレーム側ガイド部材の平面図である。
【図１６】第３実施形態に係る鍵側ガイド部材の裏面図である。
【図１７】（Ａ）は第３実施形態の第１変形例に係るフレーム側ガイド部材の斜視図であり、（Ｂ）は前記フレーム側ガイド部材の平面図である。
【図１８】（Ａ）は第３実施形態の第２変形例に係る鍵側ガイド部材を下方から見た斜視図であり、（Ｂ）は前記鍵側ガイド部材の下面図である。
【発明を実施するための形態】
【００１６】
ａ．第１実施形態
以下、本発明の第１実施形態について図面を用いて説明する。図１は第１実施形態に係る１オクターブ分の鍵を含む鍵盤装置の概略斜視図であり、図２は前記鍵盤装置の平面図であり、図３は前記鍵盤装置の正面図である。図４は、図２のＡ−Ａ線に沿って見た鍵盤装置の拡大端面図であり、図５は図２のＢ部の拡大図である。なお、本明細書においては、演奏者側（図１の左下側及び図２の下側）を鍵盤装置の前方とし、演奏者と反対側（図１の右上側及び図２の上側）を鍵盤装置の後方とする。そして、演奏者の左右方向（図１の左上から右下方向及び図２の左右方向）を鍵盤装置の左右方向とする。
【００１７】
鍵盤装置は、鍵盤の下方にて、鍵盤楽器内に固定された鍵フレーム１０を有する。鍵フレーム１０は、前方にて左右及び前後方向に水平に延設された平板状の下段壁１１と、下段壁１１の後端にて上方に立設された平板状の立面壁１２と、立面壁１２の上端にて後方に所定幅だけ水平に延設されるとともに左右方向に長尺状かつ平板状の上段壁１３とを備えている。下段壁１１、立面壁１２及び上段壁１３は、金属、樹脂などにより一体的に形成されている。上段壁１３には、左右方向のほぼ中央位置にて、上面から下面に連通する左右方向に長い直方体形状の貫通孔１３ａが、その前後の内面を上段壁１３の前後両端面に平行にして形成されている。上段壁１３上には、樹脂によりそれぞれ一体成形した第１乃至第３鍵ユニット２０，３０，４０がその後端部にて載置されている。また、上段壁１３の適宜箇所には、図示しない固定用ねじを螺合させて第１乃至第３鍵ユニット２０，３０，４０を堅固に固定するために、内周面に雌ねじを形成した上面から下面に連通する円形のねじ孔１３ｂも設けられている。なお、これに代えて、ねじ孔１３ｂとしては内面に雌ねじを有しない単なる円柱状の孔が利用され、円柱状の孔にタップネジを螺合させるセルフタップねじ方式により、第１乃至第３鍵ユニット２０，３０，４０を上段壁１３上に堅固に固定するようにしてもよい。
【００１８】
下段壁１１には、後述する白鍵２１，３１及び黒鍵４１にそれぞれ対応したフレーム側ガイド部材１４が下段壁１１と一体的に設けられている。フレーム側ガイド部材１４は、図９に示すように、それぞれ全体形状を直方体形状として前面１４ａ、後面１４ｂ、左右側面１４ｃ，１４ｄ及び上面１４ｅを有し、白鍵２１，３１及び黒鍵４１の下面が対向する位置にて下段壁１１の上面から上方に突出している。なお、図９（Ａ）において、フレーム側ガイド部材１４の形状を理解し易いようにするために、後述する鍵側ガイド部材２４，３４，４５をフレーム側ガイド部材１４の上面１４ｅの位置にて水平に切断して、鍵側ガイド部材２４，３４，４５の上部を除去して示している。
【００１９】
白鍵２１，３１用のフレーム側ガイド部材１４は白鍵２１，３１の前後方向の中央位置より若干前方位置にて左右方向に一列に配置され、黒鍵４１用のフレーム側ガイド部材１４は白鍵２１，３１用のフレーム側ガイド部材１４よりも若干だけ後方位置にて左右方向に一列に配置されている。前面１４ａ及び後面１４ｂは左右方向に延設され、左右側面１４ｃ，１４ｄは前後方向に延設されている。上面１４ｅは、後述する鍵側ガイド部材２４，３４，４５の上端よりも下方に位置する。前面１４ａ及び上面１４ｅに関しては、白鍵２１，３１及び黒鍵４１の回動軌跡に合わせて延設させることが好ましい。なお、本実施形態では、黒鍵４１用のフレーム側ガイド部材１４を白鍵２１，３１用のフレーム側ガイド部材１４の後方に位置させたが、黒鍵４１用のフレーム側ガイド部材１４と白鍵２１，３１用のフレーム側ガイド部材１４とを前後方向の同一位置に配置したり、黒鍵４１用のフレーム側ガイド部材１４を白鍵２１，３１用のフレーム側ガイド部材１４の前方に位置させたりしてもよい。
【００２０】
フレーム側ガイド部材１４の前面１４ａ側には、左右方向の中央位置にて、上下方向に延設された溝１４ｆが設けられている。溝１４ｆは、左右方向に所定幅を有するとともに後方に所定深さを有する横断面形状を前後方向に長い長方形状としている。
【００２１】
次に、第１鍵ユニット２０について、図６（Ａ）の平面図、図６（Ｂ）の正面図及び図６（Ｃ）の側面図を用いて説明する。第１鍵ユニット２０は、音名Ｃ，Ｅ，Ｇ，Ｂにそれぞれ対応して互いに隣接していない４つの白鍵２１を有する。白鍵２１は、上壁、前壁、側壁及び後壁からなり、内部を下方に開口させた方形状の空間を形成している。ただし、上壁、前壁、側壁及び後壁の板厚による内側面を示す破線は、図４以外の図面においては省略されている。上壁及び側壁には、黒鍵４１のスペースを確保するために段部が設けられている。
【００２２】
これらの４つの白鍵２１の後壁は、ヒンジ２２を介して連結部２３にそれぞれ接続されている。ヒンジ２２及び連結部２３は、白鍵２１と一体成形されている。ヒンジ２２は、白鍵２１の後端部の横幅に等しい又はほぼ等しい横幅を有し、上下方向に弾性変形し易いように薄肉で方形かつ平板状に構成されていて、その前端を白鍵２１の後壁の下部に接続させて後方に延設されている。そして、ヒンジ２２は白鍵２１の押鍵時に弾性変形して、白鍵２１の前端部の下方への変位を許容し、白鍵２１の離鍵時には弾性力により白鍵２１の前端部を上方へ変位させて白鍵２１を離鍵位置に復帰させる。
【００２３】
連結部２３は、縦断面を長方形状にして横方向に長尺状の部材であり、前面の上下方向の中間部にてヒンジ２２の後端を接続させている。連結部２３は変形し難いように比較的厚く構成されており、その上下方向の厚さはヒンジ２２の上下方向の厚さに比べて大きい。また、連結部２３の前後幅は鍵フレーム１０の上段壁１３の前後幅に等しく、連結部２３は上段壁１３上に載置されている。連結部２３には、左右方向ほぼ中央位置にて、上面から下面に連通する左右方向に長い直方体形状の貫通孔２３ａが、その前後の内面を連結部２３の前後両端面と平行にして形成されている（図４及び図５を参照）。また、連結部２３の前記ねじ孔１３ｂに対応する箇所には、前記固定用ねじを貫通させるための上面から下面に連通する円形の貫通孔２３ｂも設けられている。
【００２４】
また、白鍵２１の下面であってフレーム側ガイド部材１４と対向する位置には、鍵側ガイド部材２４が白鍵２１と一体的に設けられている。鍵側ガイド部材２４は、図９（（Ａ）では、フレーム側ガイド部材１４の上面１４ｅよりも上部を除去）に示すように、横断面形状をコ字状として前壁２４ａ及び左右側壁２４ｂ，２４ｃを有し、白鍵２１の下面から下方に突出している。鍵側ガイド部材２４の下面は、鍵フレーム１０の下段壁１１の上面よりも上方に位置する。前壁２４ａ及び左右側壁２４ｂ，２４ｃは平板状に構成され、前壁２４ａは左右方向に延設され、左右側壁２４ｂ，２４ｃは前後方向に延設されている。前壁２４ａの後面には、左右方向の中央位置にて、後方に突出するとともに上下方向に延設された平板状の突出部２４ｄが設けられている。突出部２４ｄの左右方向の幅はフレーム側ガイド部材１４の溝１４ｆの横方向幅より小さく、突出部２４ｄの後端は左右側壁２４ｂ，２４ｃの後端よりも前方に位置するとともに溝１４ｆの底面よりも若干前方に位置するように設定されている。なお、鍵側ガイド部材２４の突出部２４ｄ及びフレーム側ガイド部材１４の溝１４ｆの左右方向の位置は、それらが対向する位置にあれば、鍵側ガイド部材２４及びフレーム側ガイド部材１４における左右方向の中央位置から左又は右に若干ずれた位置でもよい。
【００２５】
第１鍵ユニット２０が鍵フレーム１０に誤差なく組付けられた状態では、突出部２４ｄの両外側面と溝１４ｆの両内側面との間には、同一距離の隙間が設けられており、この隙間の左右方向の距離をａとする。以降の説明では、この距離ａをキーガイドクリアランスａという。また、左側壁２４ｂの内側面とフレーム側ガイド部材１４の左側面１４ｃとの間、及び右側壁２４ｃの内側面とフレーム側ガイド部材１４の右側面１４ｄとの間には同一距離の隙間が設けられており、この隙間の左右方向の距離をｂとする。以降の説明では、この距離ｂをプレガイドクリアランスｂという。キーガイドクリアランスａとプレガイドクリアランスｂとの間には、ａ＜ｂの関係がある。また、突出部２４ｄの前壁２４ａの後面から後方への突出長さは、左右側壁２４ｂ，２４ｃの前壁２４ａの後面から後方への突出長さよりも小さく設定されている。具体的には、図９（Ｃ）に示すように、鍵側ガイド部材２４を前方から後方に移動させて、左右側壁２４ｂ，２４ｃの両内側面内にフレーム側ガイド部材１４の左右側面１４ｃ，１４ｄを収容させたときには、左右側壁２４ｂ，２４ｃの内側面の後端部とフレーム側ガイド部材１４の左右側面１４ｃ，１４ｄの前端部とが前後方向において重なり始めた以降において、突出部２４ｄが溝１４ｆ内に侵入し始めるようになっている。
【００２６】
次に、第２鍵ユニット３０について、図７（Ａ）の平面図、図７（Ｂ）の正面図及び図７（Ｃ）の側面図を用いて説明する。第２鍵ユニット２０は、音名Ｄ，Ｆ，Ａにそれぞれ対応して互いに隣接していない３つの白鍵３１を有する。白鍵３１も、上壁、前壁、左右側壁及び後壁からなり、内部を下方に開口させた方形状の空間を形成している。白鍵３１の前後方向の長さ及び高さは白鍵２１の場合と同じである。ただし、上壁及び左右側壁に設けた黒鍵４１のスペースを確保するために段部は白鍵２１の場合とは異なる。
【００２７】
これらの３つの白鍵３１の後壁は、ヒンジ３２を介して連結部３３にそれぞれ接続されている。ヒンジ３２及び連結部３３も、白鍵２１のヒンジ２２及び連結部２３とそれぞれ同様に構成され、白鍵３１と一体成形されている。ヒンジ３２の前端は白鍵３１の後壁の上部に接続されている。連結部３３は、前面の上下方向の下端部にてヒンジ３２の後端を接続させ、第１鍵ユニット２０の連結部２３の上に載置されている。連結部３３には、上面から下面に連通する左右方向に長い直方体形状の貫通孔３３ａが、その前後の内面を連結部３３の前後両端面と平行にして形成されている（図４及び図５を参照）。また、連結部３３には、第１鍵ユニット２０の貫通孔２３ｂと同様な貫通孔３３ｂが形成されている。
【００２８】
さらに、白鍵３１の下面には、第１鍵ユニット２０の鍵側ガイド部材２４と同様な鍵側ガイド部材３４が鍵側ガイド部材２４と前後方向の同一位置にて白鍵３１と一体的に設けられている。鍵側ガイド部材３４も、鍵側ガイド部材２４の前壁２４ａ、左右側壁２４ｂ，２４ｃ及び突出部２４ｄと同様な前壁３４ａ、左右側壁３４ｂ，３４ｃ及び突出部３４ｄを有する。
【００２９】
次に、第３鍵ユニット４０について、図８（Ａ）の平面図、図８（Ｂ）の正面図及び図８（Ｃ）の側面図を用いて説明する。第３鍵ユニット２０は、音名Ｃ＃，Ｄ＃，Ｆ＃，Ｇ＃，Ａ＃にそれぞれ対応して互いに隣接していない５つの黒鍵４１を有する。黒鍵４１も、上壁、前壁、左右側壁及び後壁からなり、内部を下方に開口させた方形状の空間を形成している。ただし、黒鍵４１の前後方向の長さは白鍵２１，３１の前後方向の長さよりも短く、黒鍵４１の高さは白鍵２１，３１の高さよりも高い。また、黒鍵４１の前壁は、下方に向かって前方に位置するように傾斜している。
【００３０】
これらの５つの黒鍵４１の後壁は、ヒンジ４２を介して連結部４３にそれぞれ接続されている。ヒンジ４２及び連結部４３も、白鍵２１，３１のヒンジ２２，３２及び連結部２３，３３とそれぞれ同様に構成され、黒鍵４１と一体成形されている。ヒンジ４２の前端は黒鍵４１の後壁の上部に接続されている。連結部４３は、前面の上下方向の下端部にてヒンジ４２の後端を接続させ、第２鍵ユニット３０の連結部３３の上に載置されている。連結部４３には、上面から下面に連通する左右方向に長い直方体形状の貫通孔４３ａが、その前後の内面を連結部４３の前後両端面と平行にして形成されている（図４及び図５を参照）。また、連結部４３には、第２鍵ユニット２０の貫通孔３３ｂと同様な貫通孔４３ｂが形成されている。
【００３１】
また、連結部４３の下面には、連結部４３の左右方向のほぼ中央位置かつ連結部４３の後端面から前方に離れた貫通孔４３ａの後ろの外側から下方に突出したフック部４４が設けられている。フック部４４は、第２鍵ユニット３０の貫通孔３３ａ、第１鍵ユニット２０の貫通孔２３ａ及び鍵フレーム１０の貫通孔１３ａを上方から下方へ貫通させて、第１乃至第３鍵ユニット２０，３０，４０を鍵フレーム１０に組付ける部材である。フック部４４は、その横断面形状を左右方向に長尺状の長方形とし、その左右両側面を下方に向かうに従って幅狭とし、その正面視を台形状としている。フック部４４の前後方向の厚さは薄く、フック部４４は、前後方向に弾性変形するように構成されていて、下端を前後方向に変位可能としている。
【００３２】
フック部４４の前面の下端部には、縦断面形状を３角形とする前方に突出させた係止用爪４４ａが設けられている。係止用爪４４ａは、フック部４４を、第２鍵ユニット３０の貫通孔３３ａ、第１鍵ユニット２０の貫通孔２３ａ及び鍵フレーム１０の貫通孔１３ａを上方から下方へ貫通させた状態で、その上面を鍵フレーム１０の上段壁１３の下面に係止させて、第１乃至第３鍵ユニット２０，３０，４０を鍵フレーム１０に組付けるものである。また、連結部４３には、第２鍵ユニット３０の貫通孔３３ｂと同様な貫通孔４３ｂが形成されている。
【００３３】
さらに、黒鍵４１の下面には、第１及び第２鍵ユニット２０，３０の鍵側ガイド部材２４，３４と同様な鍵側ガイド部材４５が、鍵側ガイド部材２４，３４よりも後方位置にてフレーム側ガイド部材１４と対向するように、黒鍵４１と一体的に設けられている。鍵側ガイド部材４５も、鍵側ガイド部材２４，３４の前壁２４ａ，３４ａ、左右側壁２４ｂ，２４ｃ，３４ｂ，３４ｃ及び突出部２４ｄ，３４ｄと同様な前壁４５ａ、左右側壁４５ｂ，４５ｃ及び突出部４５ｄを有する。なお、フレーム側ガイド部材１４の左右側面１４ｂ，１４ｃと鍵側ガイド部材２４，３４，４５の左右側壁２４ｂ，２４ｃ，３４ｂ，３４ｃ，４５ｂ，４５ｃの内側面とで、本発明のプレガイド部を構成する。また、鍵側ガイド部材２４，３４，４５の突出部２４ｄ，３４ｄ，４５ｄの左右側面とフレーム側ガイド部材１４の溝１４ｆの左右内側面とで、本発明のキーガイド部を構成する。
【００３４】
このように構成した第１乃至第３鍵ユニット２０，３０，４０の鍵フレーム１０への組付けについて説明する。この組付けにおいては、まず、水平状態にある鍵フレーム１０に対して、第１鍵ユニット２０をその後端が前端よりも高くになるように傾斜させた状態で鍵フレーム１０に近づける。その後、第１鍵ユニット２０（白鍵２１）を前記傾斜させた状態のまま、第１鍵ユニット２０（白鍵２１）の左右方向の位置を調整しながら後方に移動して、鍵側ガイド部材２４をフレーム側ガイド部材１４に前方から接近させ、フレーム側ガイド部材１４の左右側面１４ｃ，１４ｄを鍵側ガイド部材１４の左右側壁２４ｂ，２４ｃ内に侵入させる。言い換えれば、最初に、プレガイド部である左右側壁２４ｂ，２４ｃの内側面とフレーム側ガイド部材１４の左右側面１４ｃ，１４ｄとを係合させる。
【００３５】
そして、前記左右側面１４ｃ，１４ｄを鍵側ガイド部材１４の左右側壁２４ｂ，２４ｃ内に侵入させた状態（すなわち、プレガイド部の係合状態）を保ちながら、第１鍵ユニット２０をさらに後方に移動する。そして、鍵側ガイド部材２４の突出部２４ｄをフレーム側ガイド部材１４の溝１４ｆ内に侵入させる前において、第１鍵ユニット２０を左右方向の位置を微調整して第１鍵ユニット２０をさらに後方に移動して、突出部２４ｄを溝１４ｆ内に侵入させる（図９（Ｃ）参照）。言い換えれば、キーガイド部である突出部２４ｄの左右側面と溝１４ｆの左右内側面とを係合させる。その後、第１鍵ユニット２０の後端部すなわち連結部２３を下方に移動して、連結部２３を鍵フレーム１０の上段壁１３の上面に載置し、第１鍵ユニット２０をほぼ水平に維持する。
【００３６】
次に、第２鍵ユニット３０を、第１鍵ユニット２０と同様に、その後端が前端よりも高くになるように傾けた状態で左右方向の位置を調整しながら後方に移動して、フレーム側ガイド部材１４の左右側面１４ｃ，１４ｄを鍵側ガイド部材３４の左右側壁３４ｂ，３４ｃ内に侵入させた後、突出部３４ｄを溝１４ｆ内に侵入させる。そして、第２鍵ユニット３０の後端部すなわち連結部２３を下方に移動して、連結部３３を第１鍵ユニット２０の連結部２３の上面に載置し、第２鍵ユニット３０をほぼ水平に維持する。
【００３７】
次に、第３鍵ユニット４０を、第１及び第２鍵ユニット２０，３０と同様に、その後端が前端よりも高くになるように傾けた状態で左右方向の位置を調整しながら後方に移動して、フレーム側ガイド部材１４の左右側面１４ｃ，１４ｄを鍵側ガイド部材４４の左右側壁４５ｂ，４５ｃ内に侵入させた後に、突出部４５ｄを溝１４ｆ内に侵入させる。その後、第３鍵ユニット４０の後端を下方に移動させて、フック部４４を、第２鍵ユニット３０の連結部３３に設けた貫通孔３３ａ、第１鍵ユニット２０の連結部２３に設けた貫通孔２３ａ、及び鍵フレーム１０の上段壁１３に設けた貫通孔１３ａ内にこの順に侵入させ、フック部４４の下端に設けた係止用爪４４ａの上面を上段壁１３の下面に係止させ、第１乃至第３鍵ユニット２０，３０，４０を鍵フレーム１０に組付ける。なお、この状態では、第１乃至第３鍵ユニット２０，３０，４０は水平に維持される。
【００３８】
また、第１乃至第３鍵ユニット２０，３０，４０の鍵フレーム１０への組付けにおいては、次のような方法を採用することもできる。第２鍵ユニット３０の連結部３３を第１鍵ユニット２０の連結部２３の上面に載置する。次に、第３鍵ユニット４０のフック部４４を、第２鍵ユニット３０の連結部３３に設けた貫通孔３３ａ及び第１鍵ユニット２０の連結部２３に設けた貫通孔２３ａ内にこの順に侵入させながら、第３鍵ユニット４０の連結部４３を第２鍵ユニット３０の連結部３３の上面に載置する。これにより、第１乃至第３鍵ユニット２０，３０，４０は、フック部４４を貫通孔３３ａ，２３ａに貫通させて、連結部２３，３３，４３を重ねて１セットに組み立てられた状態となる。
【００３９】
このように１セットに組み立てられた状態にある第１乃至第３鍵ユニット２０，３０，４０を、それらの後端が前端よりも高くになるように傾けた状態で左右方向の位置を調整しながら後方に移動して、フレーム側ガイド部材１４の左右側面１４ｃ，１４ｄを鍵側ガイド部材２４，３４，４５の左右側壁２３ｂ，２３ｃ，３４ｂ，３４ｃ，４５ｂ，４５ｃ内に侵入させた後に、突出部２４ｄ，３４ｄ，４５ｄを溝１４ｆ内に侵入させる。言い換えれば、プレガイド部である左右側壁２４ｂ，２４ｃ，３４ｂ，３４ｃ，４５ｂ，４５ｃの内側面とフレーム側ガイド部材１４の左右側面１４ｃ，１４ｄとを係合させた後に、キーガイド部である突出部２４ｄ，３４ｄ，４５ｄの左右側面と溝１４ｆの左右内側面とを係合させる。その後、第１乃至第３鍵ユニット２０，３０，４０の後端を下方に移動させて、フック部４４を、鍵フレーム１０の上段壁１３に設けた貫通孔１３ａ内に侵入させ、フック部４４の下端に設けた係止用爪４４ａの上面を上段壁１３の下面に係止させ、第１乃至第３鍵ユニット２０，３０，４０を鍵フレーム１０に組付ける。これによっても、第１乃至第３鍵ユニット２０，３０，４０は、水平に維持された状態で、鍵フレーム１０の上段壁１３上に組み付けられる。
【００４０】
このような第１乃至第３鍵ユニット２０，３０，４０の鍵フレーム１０への組付けにおいては、プレガイドクリアランスｂはキーガイドクリアランスａよりも大きく、プレガイドクリアランスｂをある程度大きくできるので、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃ内に簡単に侵入させることができる。すなわち、プレガイド部である鍵側ガイド部材２４，３４，４５の左右側壁２４ｂ，２４ｃ，３４ｂ，３４ｃ，４５ｂ，４５ｃの内側面と、フレーム側ガイド部材１４の左右側面１４ｃ，１４ｄとを簡単に係合させることができる。
【００４１】
そして、突出部２４ｄ，３４ｄ，４５ｄを溝１４ｆ内に侵入させる前においては、鍵側ガイド部材２４，３４，４５の左右方向の位置は、プレガイド部である左右側壁２４ｂ，２４ｃ，３４ｂ，３４ｃ，４５ｂ，４５ｃの内側面とフレーム側ガイド部材１４の左右側面１４ｃ，１４ｄとによって規制されている。したがって、突出部２４ｄ，３４ｄ，４５ｄを溝１４ｆ内に侵入させるための第１乃至第３鍵ユニット２０，３０，４０の左右方向の位置の調整量を小さくでき、突出部２４ｄ，３４ｄ，４５ｄを溝１４ｆ内に簡単に侵入させることができる。すなわち、キーガイド部である突出部２４ｄ，３４ｄ，４５ｄの左右側面と、溝１４ｆの左右内側面とを簡単に係合させることもできる。その結果、この第１実施形態によれば、押離鍵操作時における鍵の横振れを防止するためにキーガイドクリアランスａを小さくしても、第１乃至第３鍵ユニット２０，３０，４０を鍵フレーム１０に組付ける作業が簡単になる。そして、この組付け易さによりキーガイド部を構成する部材の変形も防止される。
【００４２】
このようにして第１乃至第３鍵ユニット２０，３０，４０を鍵フレーム１０に組付けたのち、図示しない固定用ねじを、第３鍵ユニット４０、第２鍵ユニット３０及び第１鍵ユニット２０の連結部４３，３３，２３に設けた貫通孔４３ｂ，３３ｂ，２３ｂにこの順に上方から貫通させて、鍵フレーム１０の上段壁１３に設けたねじ孔１３ｂに螺合させる。これにより、第１乃至第３鍵ユニット２０，３０，４０が鍵フレーム１０に堅固に固定されて、鍵盤装置が完成する。
【００４３】
このようにして完成された鍵盤装置においては、演奏者が白鍵２１，３１及び黒鍵４１を押鍵操作すると、白鍵２１，３１及び黒鍵４１はヒンジ２２，３２，４２の弾性変形により、後端を中心としてそれらの前端を下方へ変位させる。このとき、鍵側ガイド部材２４，３４，４５の突出部２４ｄ，３４ｄ，４５ｄはフレーム側ガイド部材１４の溝１４ｆ内に沿って下方に変位する。すなわち、白鍵２１，３１及び黒鍵４１は、キーガイド部であるフレーム側ガイド部材１４の溝１４ｆによりキーガイドされて、それらの前端を下方へ変位させる。したがって、鍵側ガイド部材２４，３４，４５すなわち鍵２１，３１，４１の左右方向の変位が規制され、白鍵２１，３１及び黒鍵４１は横振れすることなくほぼ垂直下方に変位する。また、前記押鍵された白鍵２１，３１及び黒鍵４１が離鍵されると、白鍵２１，３１及び黒鍵４１はヒンジ２２，３２，４２の復元力や図示しない他部材（接点ゴム等のばね部材）の復帰力により、それらの前端を上方へ変位させて元の位置に復帰する。この場合も、白鍵２１，３１及び黒鍵４１は、前記押鍵の場合と同様にキーガイドされる。特に、前述のように、キーガイドクリアランスａを小さくできるので、白鍵２１，３１及び黒鍵４１の横振れを良好に抑えることができる。
【００４４】
ａ１．第１変形例
次に、上記第１実施形態の第１変形例について、図１０を用いて説明する。図１０（Ａ）は、上記第１実施形態の図９（Ｂ）に対応した第１変形例に係る鍵側ガイド部材２４，３４，４５とフレーム側ガイド部材１４の平面図である。図１０（Ｂ）（Ｃ）は、第１乃至第３鍵ユニット１０，２０，３０を鍵フレーム１０に組付ける過程における鍵側ガイド部材２４，３４，４５とフレーム側ガイド部材１４の平面図である。この第１変形例は、上記第１実施形態のフレーム側ガイド部材１４のみを変形させたもので、他の部分に関しては上記第１実施形態と同じであるので、第１実施形態と同一符号を使用し、変形した部分に関する事項のみを説明して他の部分に関する説明を省略する。
【００４５】
この第１変形例においては、フレーム側ガイド部材１４の前面１４ａと左右側面１４ｃ，１４ｄとの角部が切欠かれ、前面１４ａから後方に向かうに従って外側に広がる傾斜面（面取り）１４ｇ，１４ｈがフレーム側ガイド部材１４に設けられている。傾斜面１４ｇ，１４ｈは平面であり、フレーム側ガイド部材１４の上面１４ｅから下端まで延設されている。なお、傾斜面１４ｇ，１４ｈの左右方向の幅は、キーガイドクリアランスａ及びプレガイドクリアランスｂに比べて大きい。
【００４６】
傾斜面１４ｇ，１４ｈは、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側面内に侵入させて、プレガイド部に第１乃至第３鍵ユニット２０，３０，４０の鍵フレーム１０に対するプレガイド機能を発揮させるためのサブガイドとして機能する。具体的は、図１０（Ｂ）に示すように、フレーム側ガイド部材１４の左右側面１４ｃ，１４ｄを左右側壁２４ｂ，２４ｃ，３４ｂ，３４ｃ，４５ｂ，４５ｃの内側に侵入させる前において、右側壁２４ｃ，３４ｃ，４５ｃの内側面（又は左側壁２４ｂ，３４ｂ，４５ｂの内側面）の後端を傾斜面１４ｈ（又は傾斜面１４ｇ）の左右方向の幅内に収めるように、第１乃至第３鍵ユニット２０，３０，４０の左右方向位置を調整すればよい。そして、この状態で、第１乃至第３鍵ユニット２０，３０，４０を後方に移動させれば、右側壁２４ｃ，３４ｃ，４５ｃの内側面（又は左側壁２４ｂ，３４ｂ，４５ｂの内側面）の後端は傾斜面１４ｈ（又は傾斜面１４ｇ）に沿って斜め後方に移動して、右側壁２４ｃ，３４ｃ，４５ｃの内側面（又は左側壁２４ｂ，３４ｂ，４５ｂの内側面）はフレーム側ガイド部材１４の右側面１４ｄ（又は左側面１４ｃ）と係合し始める。
【００４７】
そして、第１乃至第３鍵ユニット２０，３０，４０をさらに後方に移動させれば、図１０（Ｃ）に示すように、突出部２４ｄ，３４ｄ，４５ｄは、上記図９（Ｃ）に示す第１実施形態の場合と同様に、左右方向位置を溝１４ｆの左右方向位置とほぼ一致させて溝１４ｆの前方に位置することになる。そして、上記第１実施形態の場合と同様に、第１乃至第３鍵ユニット２０，３０，４０の左右方向位置を微調整するとともに、第１乃至第３鍵ユニット２０，３０，４０を後方に移動させて、突出部２４ｄ，３４ｄ，４５ｄを溝１４ｆ内に侵入させる。
【００４８】
前記のような第１変形例において、フレーム側ガイド部材１４の左右側面１４ｃ，１４ｄを左右側壁２４ｂ，２４ｃ，３４ｂ，３４ｃ，４５ｂ，４５ｃの内側に侵入させる際には、右側壁２４ｃ，３４ｃ，４５ｃの内側面（又は左側壁２４ｂ，３４ｂ，４５ｂの内側面）の後端を傾斜面１４ｈ（又は傾斜面１４ｇ）の左右方向の幅内に収めるようにすればよい。したがって、この第１変形例によれば、フレーム側ガイド部材１４の左右側面１４ｃ，１４ｄを左右側壁２４ｂ，２４ｃ，３４ｂ，３４ｃ，４５ｂ，４５ｃの内側に簡単に侵入させて、プレガイド部の機能を発揮させることができる。
【００４９】
また、この第１変形例においては、プレガイドクリアランスｂはキーガイドクリアランスａよりも大きいが、それらの差を小さくしても、フレーム側ガイド部材１４の左右側面１４ｃ，１４ｄを左右側壁２４ｂ，２４ｃ，３４ｂ，３４ｃ，４５ｂ，４５ｃの内側に簡単に侵入させることができる。そして、この場合には、突出部２４ｄ，３４ｄ，４５ｄの左右側面を溝１４ｆの内側に侵入させるための第１乃至第３鍵ユニット２０，３０，４０の左右方向の位置調整量をより小さくでき、上記第１実施形態に比べて、突出部２４ｄ，３４ｄ，４５ｄを溝１４ｆ内に簡単に侵入させることができる。
【００５０】
ａ２．第２変形例
次に、上記第１実施形態の第２変形例について、図１１を用いて説明する。図１１（Ａ）は、上記第１実施形態の図９（Ｂ）に対応した第２変形例に係る鍵側ガイド部材２４，３４，４５とフレーム側ガイド部材１４の平面図である。図１１（Ｂ）（Ｃ）は、第１乃至第３鍵ユニット１０，２０，３０を鍵フレーム１０に組付ける過程における鍵側ガイド部材２４，３４，４５とフレーム側ガイド部材１４の平面図である。この第２変形例は、上記第１実施形態の鍵側ガイド部材２４，３４，４５のみを変形させたもので、他の部分に関しては上記第１実施形態と同じであるので、第１実施形態と同一符号を使用し、変形した部分に関する事項のみを説明して他の部分に関する説明を省略する。
【００５１】
この第２変形例においては、左側壁２４ｂ，３４ｂ，４５ｂの後端部の内側面側の角部が切欠かれて、後方に向かうに従って外側に広がる傾斜面（面取り）２４ｅ，３４ｅ，４５ｅが鍵側ガイド部材２４，３４，４５に設けられている。また、右側壁２４ｃ，３４ｃ，４５ｃの後端部の内側面側の角部も切欠かれて、後方に向かうに従って外側に広がる傾斜面（面取り）２４ｆ，３４ｆ，４５ｆも鍵側ガイド部材２４，３４，４５に設けられている。傾斜面２４ｅ，３４ｅ，４５ｅ，２４ｆ，３４ｆ，４５ｆは平面であり、鍵側ガイド部材２４，３４，４５の下端から上端まで延設されている。なお、傾斜面２４ｅ，３４ｅ，４５ｅ，２４ｆ，３４ｆ，４５ｆの左右方向の幅は、キーガイドクリアランスａ及びプレガイドクリアランスｂに比べて大きい。
【００５２】
傾斜面２４ｅ，２４ｆ，３４ｅ，３４ｆ，４５ｅ，４５ｆは、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側面内に侵入させて、プレガイド部に第１乃至第３鍵ユニット２０，３０，４０の鍵フレーム１０に対するプレガイド機能を発揮させるためのサブガイドとして機能する。具体的は、図１１（Ｂ）に示すように、フレーム側ガイド部材１４の左右側面１４ｃ，１４ｄを左右側壁２４ｂ，２４ｃ，３４ｂ，３４ｃ，４５ｂ，４５ｃの内側に侵入させる前において、右側面１４ｄ（又は左側面１４ｃ）の前端を傾斜面２４ｆ，３４ｆ，４５ｆ（又は傾斜面２４ｅ，３４ｅ，４５ｅ）の左右方向の幅内に収めるように、第１乃至第３鍵ユニット２０，３０，４０の左右方向位置を調整すればよい。そして、この状態で、第１乃至第３鍵ユニット２０，３０，４０を後方に移動させれば、右側面１４ｄ（又は左側面１４ｃ）の前端を傾斜面２４ｆ，３４ｆ，４５ｆ（又は傾斜面２４ｅ，３４ｅ，４５ｅ）に当接させたまま、鍵側ガイド部材２４，３４，４５は斜め後方に移動して、右側壁２４ｃ，３４ｃ，４５ｃの内側面（又は左側壁２４ｂ，３４ｂ，４５ｂの内側面）はフレーム側ガイド部材１４の右側面１４ｄ（又は左側面１４ｃ）と係合し始める。
【００５３】
そして、第１乃至第３鍵ユニット２０，３０，４０をさらに後方に移動させれば、図１１（Ｃ）に示すように、突出部２４ｄ，３４ｄ，４５ｄは、上記図９（Ｃ）に示す第１実施形態の場合と同様に、左右方向位置を溝１４ｆの左右方向位置とほぼ一致させて溝１４ｆの前方に位置することになる。そして、上記第１実施形態の場合と同様に、第１乃至第３鍵ユニット２０，３０，４０の左右方向位置を微調整するとともに、第１乃至第３鍵ユニット２０，３０，４０を後方に移動させて、突出部２４ｄ，３４ｄ，４５ｄを溝１４ｆ内に侵入させる。
【００５４】
前記のような第２変形例において、フレーム側ガイド部材１４の左右側面１４ｃ，１４ｄを左右側壁２４ｂ，２４ｃ，３４ｂ，３４ｃ，４５ｂ，４５ｃの内側に侵入させる際には、右側面１４ｄ（又は左側面１４ｃ）の前端を傾斜面２４ｆ，３４ｆ，４５ｆ（又は傾斜面２４ｅ，３４ｅ，４５ｅ）の左右方向の幅内に収めるようにすればよい。したがって、この第２変形例によれば、フレーム側ガイド部材１４の左右側面１４ｃ，１４ｄを左右側壁２４ｂ，２４ｃ，３４ｂ，３４ｃ，４５ｂ，４５ｃの内側に簡単に侵入させて、プレガイド部の機能を発揮させることができる。
【００５５】
また、この第２変形例においても、プレガイドクリアランスｂはキーガイドクリアランスａよりも大きいが、それらの差を小さくしても、フレーム側ガイド部材１４の左右側面１４ｃ，１４ｄを左右側壁２４ｂ，２４ｃ，３４ｂ，３４ｃ，４５ｂ，４５ｃの内側に簡単に侵入させることができる。そして、この場合にも、突出部２４ｄ，３４ｄ，４５ｄの左右側面を溝１４ｆの内側に侵入させるための第１乃至第３鍵ユニット２０，３０，４０の左右方向の位置調整量をより小さくでき、上記第１実施形態に比べて、突出部２４ｄ，３４ｄ，４５ｄを溝１４ｆ内に簡単に侵入させることができる。
【００５６】
ａ３．第３変形例
次に、上記第１実施形態の第３変形例について、図１２を用いて説明する。図１２（Ａ）は、上記第１実施形態の図９（Ｂ）に対応した第３変形例に係る鍵側ガイド部材２４，３４，４５とフレーム側ガイド部材１４の平面図である。図１２（Ｂ）（Ｃ）は、第１乃至第３鍵ユニット１０，２０，３０を鍵フレーム１０に組付ける過程における鍵側ガイド部材２４，３４，４５とフレーム側ガイド部材１４の平面図である。この第３変形例は、上記第１変形例と第２変形例を組み合わせたもので、フレーム側ガイド部材１４には上記第１変形例と同様な傾斜面１４ｇ，１４ｈが設けられているとともに、左側壁２４ｂ，３４ｂ，４５ｂには上記第２変形例と同様な傾斜面２４ｅ，２４ｆ，３４ｅ，３４ｆ，４５ｅ，４５ｆが設けられている。他の部分に関しては、上記第１実施形態、第１変形例及び第２変形例と同じであるので、第１実施形態、第１変形例及び第２変形例と同一符号を使用し、その説明を省略する。
【００５７】
この第３変形例においては、図１２（Ｂ）に示すように、フレーム側ガイド部材１４の左右側面１４ｃ，１４ｄを左右側壁２４ｂ，２４ｃ，３４ｂ，３４ｃ，４５ｂ，４５ｃの内側に侵入させる前において、傾斜面２４ｆ，３４ｆ，４５ｆ（又は傾斜面２４ｅ，３４ｅ，４５ｅ）の一部と、傾斜面１４ｈ（又は傾斜面１４ｇ）の一部とが前後方向において対向するように、第１乃至第３鍵ユニット２０，３０，４０の左右方向位置を調整すればよい。そして、この状態で、第１乃至第３鍵ユニット２０，３０，４０を後方に移動させれば、左右側壁２４ｂ，２４ｃ，３４ｂ，３４ｃ，４５ｂ，４５ｃは、傾斜面２４ｆ，３４ｆ，４５ｆ（又は傾斜面２４ｅ，３４ｅ，４５ｅ）と傾斜面１４ｈ（又は傾斜面１４ｇ）とを当接させた状態で斜め後方に移動して、右側壁２４ｃ，３４ｃ，４５ｃの内側面（又は左側壁２４ｂ，３４ｂ，４５ｂの内側面）がフレーム側ガイド部材１４の右側面１４ｄ（又は左側面１４ｃ）と係合し始める。
【００５８】
そして、第１乃至第３鍵ユニット２０，３０，４０をさらに後方に移動させれば、図１２（Ｃ）に示すように、突出部２４ｄ，３４ｄ，４５ｄは、上記図９（Ｃ）、図１０（Ｃ）及び図１１（Ｃ）に示す第１実施形態、第１変形例及び第２変形例の場合と同様に、左右方向位置を溝１４ｆの左右方向位置とほぼ一致させて溝１４ｆの前方に位置することになる。そして、上記第１実施形態、第１変形例及び第２変形例の場合と同様に、第１乃至第３鍵ユニット２０，３０，４０の左右方向位置を微調整するとともに、第１乃至第３鍵ユニット２０，３０，４０を後方に移動させて、突出部２４ｄ，３４ｄ，４５ｄを溝１４ｆ内に侵入させる。
【００５９】
前記のような第３変形例において、フレーム側ガイド部材１４の左右側面１４ｃ，１４ｄを左右側壁２４ｂ，２４ｃ，３４ｂ，３４ｃ，４５ｂ，４５ｃの内側に侵入させる際には、傾斜面２４ｆ，３４ｆ，４５ｆ（又は傾斜面２４ｅ，３４ｅ，４５ｅ）の一部と、傾斜面１４ｈ（又は傾斜面１４ｇ）の一部とが前後方向において対向するようにするようにすればよい。したがって、この第３変形例によれば、上記第１変形例及び第２変形例よりもさらに簡単に、フレーム側ガイド部材１４の左右側面１４ｃ，１４ｄを左右側壁２４ｂ，２４ｃ，３４ｂ，３４ｃ，４５ｂ，４５ｃの内側に侵入させて、プレガイド部の機能を発揮させることができる。また、この第３変形例においても、上記第１変形例及び第２変形例の場合と同様に、上記第１実施形態に比べて、突出部２４ｄ，３４ｄ，４５ｄを溝１４ｆ内に簡単に侵入させることができる。
【００６０】
ｂ．第２実施形態
次に、本発明の第２実施形態について、図１３を用いて説明する。図１３（Ａ）は、上記第１実施形態の図９（Ｂ）に対応した第２実施形態に係る鍵側ガイド部材２４，３４，４５とフレーム側ガイド部材１４の平面図である。図１３（Ｂ）は、第１乃至第３鍵ユニット１０，２０，３０を鍵フレーム１０に組付ける過程における鍵側ガイド部材２４，３４，４５とフレーム側ガイド部材１４の平面図であり、図９（Ｃ）に対応している。この第２実施形態は、上記第１実施形態のフレーム側ガイド部材１４のみを変形させたもので、他の部分に関しては上記第１実施形態と同じであるので、第１実施形態と同一符号を使用し、変形した部分に関する事項のみを説明して他の部分に関する説明を省略する。
【００６１】
この第２実施形態においては、フレーム側ガイド部材１４の前面１４ａと溝１４ｆの左右内側面との角部が切欠かれ、溝１４ｆの左右内側面の中間位置から前面１４ａに向かうに従って外側に広がる傾斜面（面取り）１４ｉ，１４ｊがフレーム側ガイド部材１４に設けられている。傾斜面１４ｉ，１４ｊは平面であり、フレーム側ガイド部材１４の上面から下端まで延設されている。なお、傾斜面１４ｉ，１４ｊの左右方向の幅は、キーガイドクリアランスａに比べて大きい。そして、傾斜面１４ｇ，１４ｈは、突出部２４ｄ，３４ｄ，４５ｄを溝１４ｆ内に侵入させるためのサブガイドとして機能する。
【００６２】
この場合も、第１乃至第３鍵ユニット２０，３０，４０が鍵フレーム１０に誤差なく組付けられた状態では、傾斜面１４ｉ，１４ｊの左右外側端から突出部２４ｄ，３４ｄ，４５ｄの左右外側面までの両距離はそれぞれ等しい。この距離をｃとすると、プレガイドクリアランスｂと距離ｃとの間にはｃ＞ｂの関係がある。なお、プレガイドクリアランスｂは上記第１実施形態の場合に比べて大きく設定されている。
【００６３】
このように構成した第２実施形態においても、第１乃至第３鍵ユニット２０，３０，４０を鍵フレーム１０に組付ける際には、最初に、上記第１実施形態の場合と同様にして、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内に侵入させて、フレーム側ガイド部材１４の左右外側面と鍵側ガイド部材２４，３４，４５の左右側壁２４ｂ，２４ｃ，３４ｂ，３４ｃ，４５ｂ，４５ｃの内側面とのプレガイド機能を発揮させる。そして、この状態では、距離ｃとプレガイドクリアランスｂとの間にはｃ＞ｂなる関係があるので、図１３（Ｂ）に示すように、突出部２４ｄ，３４ｄ，４５ｄの前端面の左右端は、傾斜面１４ｉの左端と傾斜面１４ｊの右端との間に位置する。
【００６４】
次に、突出部２４ｄ，３４ｄ，４５ｄを溝１４ｆ内に侵入させるために、第１乃至第３鍵ユニット２０，３０，４０を後方に移動させる。この場合、突出部２４ｄ，３４ｄ，４５ｄの前端面が溝１４ｆの横幅内に収まっていれば、突出部２４ｄ，３４ｄ，４５ｄはそのまま溝１４ｆ内に侵入する。また、突出部２４ｄ，３４ｄ，４５ｄの前端面が溝１４ｆの横幅内に収まっていなくても、突出部２４ｄ，３４ｄ，４５ｄの左前端（又は右前端）は傾斜面１４ｉ（又は傾斜面１４ｊ）に前後方向において対向している。したがって、この場合には、第１乃至第３鍵ユニット２０，３０，４０の後方への移動により、突出部２４ｄ，３４ｄ，４５ｄの左前端（又は右前端）は傾斜面１４ｉ（又は傾斜面１４ｊ）に沿って斜め後方に移動して、突出部２４ｄ，３４ｄ，４５ｄの左前端（又は右前端）は溝１４ｆの左内側面（又は右内側面）と係合し始める。そして、第１乃至第３鍵ユニット２０，３０，４０をさらに後方に移動させれば、突出部２４ｄ，３４ｄ，４５ｄは溝１４ｆ内に侵入する。
【００６５】
前記のような第２実施形態において、突出部２４ｄ，３４ｄ，４５ｄを溝１４ｆ内に侵入させる前には、突出部２４ｄ，３４ｄ，４５ｄの前端面の左右端が傾斜面１４ｉの左端と傾斜面１４ｊの右端との間に位置するので、突出部２４ｄ，３４ｄ，４５ｄを溝１４ｆ内に簡単に侵入させることができる。また、距離ｃはプレガイドクリアランスｂに比べて大きく、距離ｃとプレガイドクリアランスｂとの関係はｃ＞ｂの関係にあればよいので、プレガイドクリアランスｂをキーガイドクリアランスａよりかなり大きくすることができ、上記第１実施形態の場合に比べて、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内により簡単に侵入させることができるようになる。
【００６６】
また、第１乃至第３鍵ユニット２０，３０，４０の左右方向の微調整をしなくても、突出部２４ｄ，３４ｄ，４５ｄを溝１４ｆ内に簡単に侵入させることができる。したがって、キーガイドクリアランスａを極めて小さくすることができて、押離鍵時における白鍵２１，３１及び黒鍵４１の横振れを最小限に抑えることができる。
【００６７】
ｂ１．第１変形例
次に、上記第２実施形態の第１変形例について、図１４を用いて説明する。図１４（Ａ）は、上記第２実施形態の図１３（Ａ）に対応した第１変形例に係る鍵側ガイド部材２４，３４，４５とフレーム側ガイド部材１４の平面図である。図１４（Ｂ）は、第１乃至第３鍵ユニット１０，２０，３０を鍵フレーム１０に組付ける過程における鍵側ガイド部材２４，３４，４５とフレーム側ガイド部材１４の平面図であり、図１３（Ｂ）に対応している。この第１変形例は、上記第２実施形態の傾斜面１４ｉ，１４ｊに代えて、鍵側ガイド部材２４，３４，４５に傾斜面２４ｇ，２４ｈ，３４ｇ，３４ｈ，４５ｇ，４５ｈを設けたもので、他の部分に関しては上記第２実施形態と同じであるので、第２実施形態と同一符号を使用し、変形した部分に関する事項のみを説明して他の部分に関する説明を省略する。
【００６８】
この第１変形例においては、鍵側ガイド部材２４，３４，４５の突出部２４ｄ，３４ｄ，４５ｄの後端部の左右角部が切欠かれ、突出部２４ｄ，３４ｄ，４５ｄの後端部の左右両端に後端から前方に向かうに従って外側に広がる傾斜面（面取り）２４ｇ，２４ｈ，３４ｇ，３４ｈ，４５ｇ，４５ｈが鍵側ガイド部材２４，３４，４５にそれぞれ設けられている。傾斜面２４ｇ，２４ｈ，３４ｇ，３４ｈ，４５ｇ，４５ｈは平面であり、鍵側ガイド部材２４，３４，４５の下端から上端まで延設されている。なお、傾斜面２４ｇ，２４ｈ，３４ｇ，３４ｈ，４５ｇ，４５ｈの左右方向の幅は、キーガイドクリアランスａに比べて大きい。そして、傾斜面２４ｇ，２４ｈ，３４ｇ，３４ｈ，４５ｇ，４５ｈは、突出部２４ｄ，３４ｄ，４５ｄを溝１４ｆ内に侵入させるためのサブガイドとして機能する。
【００６９】
この場合も、第１乃至第３鍵ユニット２０，３０，４０が鍵フレーム１０に誤差なく組付けられた状態では、傾斜面２４ｇ，２４ｈ，３４ｇ，３４ｈ，４５ｇ，４５ｈの左右内側端からフレーム側ガイド部材１４の溝１４ｆの左右内側面までの両距離はそれぞれ等しい。この距離をｄとすると、プレガイドクリアランスｂと距離ｄとの間にはｄ＞ｂの関係がある。なお、この場合も、プレガイドクリアランスｂは上記第２実施形態の場合と同様に比較的大きく設定されている。
【００７０】
このように構成した第１変形例においても、第１乃至第３鍵ユニット２０，３０，４０を鍵フレーム１０に組付ける際には、最初に、上記第１及び第２実施形態の場合と同様にして、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内に侵入させて、フレーム側ガイド部材１４の左右外側面と、鍵側ガイド部材２４，３４，４５の左右側壁２４ｂ，２４ｃ，３４ｂ，３４ｃ，４５ｂ，４５ｃの内側面とのプレガイド機能を発揮させる。そして、この状態では、距離ｄとプレガイドクリアランスｂとの間にはｄ＞ｂなる関係にあるので、図１４（Ｂ）に示すように、溝１４ｆの左内側面の前端（又は右内側面の前端）は、傾斜面２４ｇ，３４ｇ，４５ｇの左外側端（又は傾斜面２４ｈ，３４ｈ，４５ｈの右外側端）よりも内側に位置する。
【００７１】
次に、突出部２４ｄ，３４ｄ，４５ｄを溝１４ｆ内に侵入させるために、第１乃至第３鍵ユニット２０，３０，４０を後方に移動させる。この場合、突出部２４ｄ，３４ｄ，４５ｄの左右外側面が溝１４ｆの横幅内に収まっていれば、突出部２４ｄ，３４ｄ，４５ｄはそのまま溝１４ｆ内に侵入する。また、突出部２４ｄ，３４ｄ，４５ｄの左右外側面が溝１４ｆの横幅内に収まっていなくても、溝１４ｆの左内側面の前端（又は右内側面の前端）は傾斜面２４ｇ，３４ｇ，４５ｇ(又は傾斜面２４ｈ，３４ｈ，４５ｈ)に前後方向において対向している。したがって、この場合には、第１乃至第３鍵ユニット２０，３０，４０の後方への移動により、溝１４ｆの左内側面の前端（又は右内側面の前端）は傾斜面２４ｇ，３４ｇ，４５ｇ(又は傾斜面２４ｈ，３４ｈ，４５ｈ)に当接しながら、突出部２４ｄ，３４ｄ，４５ｄは斜め後方に移動して、傾斜面２４ｇ，３４ｇ，４５ｇ(又は傾斜面２４ｈ，３４ｈ，４５ｈ)よりも前方の突出部２４ｄ，３４ｄ，４５ｄの左外側面（又は右外側面）が溝１４ｆの左内側面（又は右内側面）と係合し始める。そして、第１乃至第３鍵ユニット２０，３０，４０をさらに後方に移動させれば、突出部２４ｄ，３４ｄ，４５ｄは溝１４ｆ内に侵入する。
【００７２】
前記のような第１変形例においては、突出部２４ｄ，３４ｄ，４５ｄを溝１４ｆ内に侵入させる前には、溝１４ｆの左内側端の前端（又は右内側面の前端）が傾斜面２４ｇ，３４ｇ，４５ｇの左外側端(又は傾斜面２４ｈ，３４ｈ，４５ｈの右外側端)よりも内側に位置するので、突出部２４ｄ，３４ｄ，４５ｄを溝１４ｆ内に簡単に侵入させることができる。また、距離ｄはプレガイドクリアランスｂに比べて大きく、距離ｄとプレガイドクリアランスｂとの関係はｄ＞ｂの関係にあればよいので、プレガイドクリアランスｂをキーガイドクリアランスａよりかなり大きくすることができ、上記第１実施形態の場合に比べて、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内により簡単に侵入させることができるようになる。
【００７３】
また、第１乃至第３鍵ユニット２０，３０，４０の左右方向の微調整をしなくても、突出部２４ｄ，３４ｄ，４５ｄを溝１４ｆ内に簡単に侵入させることができる。したがって、キーガイドクリアランスａを極めて小さくすることができて、押離鍵時における白鍵２１，３１及び黒鍵４１の横振れを最小限に抑えることができる。
【００７４】
ｂ２．第２変形例
次に、上記第２実施形態の第２変形例について、図１５を用いて説明する。図１５（Ａ）は、上記第２実施形態の図１３（Ａ）に対応した第２変形例に係る鍵側ガイド部材２４，３４，４５とフレーム側ガイド部材１４の平面図である。図１５（Ｂ）は、第１乃至第３鍵ユニット１０，２０，３０を鍵フレーム１０に組付ける過程における鍵側ガイド部材２４，３４，４５とフレーム側ガイド部材１４の平面図であり、図１３（Ｂ）に対応している。この第２変形例は、上記第２実施形態の傾斜面１４ｉ，１４ｊに加えて、第１変形例の傾斜面２４ｇ，２４ｈ，３４ｇ，３４ｈ，４５ｇ，４５ｈを設けたもので、他の部分に関しては上記第２実施形態及びその第１変形例と同じであるので、第２実施形態及びその第１変形例と同一符号を使用し、変形した部分に関する事項のみを説明して他の部分に関する説明を省略する。
【００７５】
この第２変形例においては、傾斜面１４ｉ，１４ｊ及び傾斜面２４ｇ，２４ｈ，３４ｇ，３４ｈ，４５ｇ，４５ｈは、突出部２４ｄ，３４ｄ，４５ｄを溝１４ｆ内に侵入させるためのサブガイドとして機能する。そして、傾斜面２４ｇ，２４ｈ，３４ｇ，３４ｈ，４５ｇ，４５ｈの左右内側端からフレーム側ガイド部材１４の傾斜面１４ｉ，１４ｊの左右外側端までの両距離はそれぞれ等しい。この距離をｅとすると、プレガイドクリアランスｂと距離ｅとの間にはｅ＞ｂの関係がある。なお、この場合には、上記第２実施形態の距離ｃと第１変形例の距離ｄとを加算した値に近い距離ｅとすることができるので、プレガイドクリアランスｂは上記第２実施形態及びその第１変形例の場合よりも大きく設定されている。
【００７６】
このように構成した第２変形例においても、第１乃至第３鍵ユニット２０，３０，４０を鍵フレーム１０に組付ける際には、最初に、上記第１実施形態、第２実施形態及びその第１変形例の場合と同様にして、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内に侵入させて、フレーム側ガイド部材１４の左右外側面と、鍵側ガイド部材２４，３４，４５の左右側壁２４ｂ，２４ｃ，３４ｂ，３４ｃ，４５ｂ，４５ｃの内側面とのプレガイド機能を発揮させる。そして、この状態では、距離ｅとプレガイドクリアランスｂとの間にはｅ＞ｂなる関係にあるので、図１５（Ｂ）に示すように、突出部２４ｄ，３４ｄ，４５ｄの傾斜面２４ｇ，３４ｇ，４５ｇ及び傾斜面２４ｈ，３４ｈ，４５ｈの内側端は、傾斜面１４ｉ，１４ｊの両外側端の間に位置する。
【００７７】
次に、突出部２４ｄ，３４ｄ，４５ｄを溝１４内に侵入させるために、第１乃至第３鍵ユニット２０，３０，４０を後方に移動させる。この場合、突出部２４ｄ，３４ｄ，４５ｄの左右外側面が溝１４ｆの横幅内に収まっていれば、突出部２４ｄ，３４ｄ，４５ｄはそのまま溝１４ｆ内に侵入する。また、突出部２４ｄ，３４ｄ，４５ｄの左右外側面が溝１４ｆの横幅内に収まっていなくても、突出部２４ｄ，３４ｄ，４５ｄの傾斜面２４ｇ，３４ｇ，４５ｇの内側端（又は傾斜面２４ｈ，３４ｈ，４５ｈの内側端）は、傾斜面１４ｉ（又は１４ｊ）に前後方向において対向している。したがって、この場合には、第１乃至第３鍵ユニット２０，３０，４０の後方への移動により、傾斜面２４ｇ，３４ｇ，４５ｇの内側端（又は傾斜面２４ｈ，３４ｈ，４５ｈの内側端）が傾斜面１４ｉ（又は１４ｊ）に当接しながら、突出部２４ｄ，３４ｄ，４５ｄは斜め後方に移動して、傾斜面２４ｇ，３４ｇ，４５ｇ(又は傾斜面２４ｆ，３４ｆ，４５ｆ)よりも前方の突出部２４ｄ，３４ｄ，４５ｄの左外側面（又は右外側面）が傾斜面１４ｉ，１４ｊの後方にある溝１４ｆの左内側面（又は右内側面）と係合し始める。そして、第１乃至第３鍵ユニット２０，３０，４０をさらに後方に移動させれば、突出部２４ｄ，３４ｄ，４５ｄは溝１４ｆ内に侵入する。
【００７８】
前記のような第２変形例においては、突出部２４ｄ，３４ｄ，４５ｄを溝１４ｆ内に侵入させる前には、突出部２４ｄ，３４ｄ，４５ｄの傾斜面２４ｇ，３４ｇ，４５ｇ及び傾斜面２４ｈ，３４ｈ，４５ｈの内側端が、傾斜面１４ｉ，１４ｊの両外側端の間に位置するので、突出部２４ｄ，３４ｄ，４５ｄを溝１４ｆ内に簡単に侵入させることができる。また、距離ｅはプレガイドクリアランスｂに比べて大きく、距離ｅとプレガイドクリアランスｂとの関係はｅ＞ｂの関係にあればよいので、プレガイドクリアランスｂをキーガイドクリアランスａよりかなり大きくすることができ、上記第２実施形態及びその第1変形例の場合に比べて、フレーム側ガイド部材１４の左右外側面を鍵側ガイド部材２４，３４，４５の左右側壁２４ｂ，２４ｃ，３４ｂ，３４ｃ，４５ｂ，４５ｃの内側面内により簡単に侵入させることができるようになる。
【００７９】
また、第１乃至第３鍵ユニット２０，３０，４０の左右方向の微調整をしなくても、突出部２４ｄ，３４ｄ，４５ｄを溝１４ｆ内に簡単に侵入させることができる。したがって、上記第２実施形態及びその第１変形例と同様に、キーガイドクリアランスａを極めて小さくすることができて、押離鍵時における白鍵２１，３１及び黒鍵４１の横振れを最小限に抑えることができる。
【００８０】
ｂ３．第１実施形態の第１乃至第３変形例の適用
上記第２実施形態、その第１及び第２変形例においては、上記第１実施形態に対して、フレーム側ガイド部材１４に傾斜面１４ｉ，１４ｊを設け、及び／又は鍵側ガイド部材２４，３４，４５に傾斜面２４ｇ，２４ｈ，３４ｇ，３４ｈ，４５ｇ，４５ｈを設けた例について説明した。しかし、上記第２実施形態、第１及び第２変形例のように、フレーム側ガイド部材１４に傾斜面１４ｉ，１４ｊ設けること、及び／又は鍵側ガイド部材２４，３４，４５に傾斜面２４ｇ，２４ｈ，３４ｇ，３４ｈ，４５ｇ，４５ｈを設けることは、上記第１実施形態の第１乃至第３変形例にも適用できる。
【００８１】
ｃ．第３実施形態
上記第１及び第２実施形態、並びにそれらの各種変形例においては、第１乃至第３鍵ユニット２０，３０，４０を鍵フレーム１０に組付ける際には、第１乃至第３鍵ユニット２０，３０，４０の後端部が前端部よりも上方に位置するように第１乃至第３鍵ユニット２０，３０，４０を傾斜させた状態で鍵フレーム１０に近づけた後、鍵側ガイド部材２４，３４，４５を前方からフレーム側ガイド部材１４に係合させる例について説明した。しかし、第１乃至第３鍵ユニット２０，３０，４０の鍵フレーム１０への組付けにおいては、第１乃至第３鍵ユニット２０，３０，４０の後端部が前端部よりも上方に位置するように第１乃至第３鍵ユニット２０，３０，４０を傾斜させた状態で鍵フレーム１０に近づけた後、鍵側ガイド部材２４，３４，４５を上方からフレーム側ガイド部材１４に係合させることもある。
【００８２】
このような方法により、第１乃至第３鍵ユニット２０，３０，４０を鍵フレーム１０に組付ける場合に適した鍵盤装置を、第３実施形態として説明する。この第３実施形態においては、鍵側ガイド部材２４，３４，４５又はフレーム側ガイド部材１４を次のように構成するとよい。他の構成は、上記第１実施形態の場合と同じであるので、その説明を省略する。
【００８３】
第３実施形態においても、図９を用いて上述した上記第１実施形態における場合とほぼ同様な鍵側ガイド部材２４，３４，４５及びフレーム側ガイド部材１４を採用している。したがって、鍵側ガイド部材２４，３４，４５及びフレーム側ガイド部材１４に関しても、同一符号を付してその説明を省略又は簡略化し、異なる点を主に説明する。異なる点は、上記第１実施形態の鍵側ガイド部材２４，３４，４５の突出部２４ｄ，３４ｄ，４５ｄに代えて、突出部２４ｄ’，３４ｄ’，４５ｄ’を採用した点である。鍵側ガイド部材２４，３４，４５を後方から見た図１６の裏面図に示すように、突出部２４ｄ’，３４ｄ’，４５ｄ’の上下方向の長さが上記第１実施形態の突出部２４ｄ，３４ｄ，４５ｄの上下方向の長さよりも短く、突出部２４ｄ’，３４ｄ’，４５ｄ’の下端が前壁２４ａ，３４ａ，４５ａ及び左右側壁２４ｂ，２４ｃ，３４ｂ，３４ｃ，４５ｂ，４５ｃの下端よりも所定距離だけ上方に位置している。これは、鍵側ガイド部材２４，３４，４５を、フレーム側ガイド部材１４に上方から係合させるためである。この突出部２４ｄ’，３４ｄ’，４５ｄ’の下端が前壁２４ａ，３４ａ，４５ａ及び左右側壁２４ｂ，２４ｃ，３４ｂ，３４ｃ，４５ｂ，４５ｃの下端よりも上方に位置させたことが、上記第１実施形態において、突出部２４ｄ，３４ｄ，４５ｄの後端を左右側壁２４ｂ，２４ｃ，３４ｂ，３４ｃ，４５ｂ，４５ｃよりも前方に位置させたことに対応する。なお、突出部２４ｄ’，３４ｄ’，４５ｄ’の厚さ及び位置は、上記第１実施形態の場合と同じである。
【００８４】
前述のように、鍵側ガイド部材２４，３４，４５を上方からフレーム側ガイド部材１４に係合させる場合には、第１乃至第３鍵ユニット２０，３０，４０の左右方向の位置を調整しながら第１乃至第３鍵ユニット２０，３０，４０の後端部を下方に移動して、鍵側ガイド部材２４，３４，４５をフレーム側ガイド部材１４に上方から接近させる。そして、この場合も、最初にプレガイド部にて鍵側ガイド部材２４，３４，４５をフレーム側ガイド部材１４に係合させながら、第１乃至第３鍵ユニット２０，３０，４０の後端部をさらに下方に移動する。そして、キーガイド部が押離鍵操作時に白鍵２１，３１及び黒鍵４１の上下方向の揺動をガイドする状態になる前において、第１乃至第３鍵ユニット２０，３０，４０を左右方向に若干移動させて、キーガイド部にて鍵側ガイド部材２４，３４，４５をフレーム側ガイド部材１４に係合させた後、第１乃至第３鍵ユニット２０，３０，４０の後端部をさらに下方に移動するとともに、第１乃至第３鍵ユニット２０，３０，４０を後方に移動して第１乃至第３鍵ユニット２０，３０，４０を鍵フレーム１０に組付ける。
【００８５】
具体的には、最初に、第１乃至第３鍵ユニット２０，３０，４０の左右方向位置を調整しながら、第１乃至第３鍵ユニット２０，３０，４０の後端部を下方に移動して、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に上方から侵入させる。そして、突出部２４ｄ’，３４ｄ’，４５ｄ’が溝１４ｆに侵入する前において、第１乃至第３鍵ユニット２０，３０，４０の左右方向位置を調整しながら、第１乃至第３鍵ユニット２０，３０，４０の後端部をさらに下方に移動して、突出部２４ｄ’，３４ｄ’，４５ｄ’を溝１４ｆ内に侵入させる。その後、第１乃至第３鍵ユニット２０，３０，４０の後端部をさらに下方に移動するとともに、第１乃至第３鍵ユニット２０，３０，４０を後方に移動して第１乃至第３鍵ユニット２０，３０，４０を鍵フレーム１０に組付ける。
【００８６】
この第３実施形態においても、上記第１実施形態と同様に、プレガイドクリアランスｂはキーガイドクリアランスａよりも大きく、プレガイドクリアランスｂをある程度大きくできるので、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃ内に簡単に侵入させることができる。すなわち、プレガイド部である鍵側ガイド部材２４，３４，４５の左右側壁２４ｂ，２４ｃ，３４ｂ，３４ｃ，４５ｂ，４５ｃの内側面と、フレーム側ガイド部材１４の左右側面１４ｃ，１４ｄとを簡単に係合させることができる。
【００８７】
また、この第３実施形態においては、前記のように、第１乃至第３鍵ユニット２０，３０，４０の後端部を下方に移動して、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に侵入させる初期の状態では、突出部２４ｄ’，３４ｄ’，４５ｄ’の下端は左右側壁２４ｂ，２４ｃ，３４ｂ，３４ｃ，４５ｂ，４５ｃの下端よりも上方に位置する。したがって、この状態では、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に侵入させる際に、突出部２４ｄ’，３４ｄ’，４５ｄ’の下端はフレーム側ガイド部材１４の上面１４ｅに当接することはなく、左右側面１４ｃ，１４ｄの左右側壁２４ｂ，２４ｃ，３４ｂ，３４ｃ，４５ｂ，４５ｃの内側への侵入が突出部２４ｄ’，３４ｄ’，４５ｄ’によって阻害されない。
【００８８】
そして、この場合も、突出部２４ｄ’，３４ｄ’，４５ｄ’を溝１４ｆ内に侵入させる前においては、鍵側ガイド部材２４，３４，４５の左右方向の位置は、プレガイド部である左右側壁２４ｂ，２４ｃ，３４ｂ，３４ｃ，４５ｂ，４５ｃの内側面と、フレーム側ガイド部材１４の左右側面１４ｃ，１４ｄとによって規制されている。したがって、突出部２４ｄ’，３４ｄ’，４５ｄ’を溝１４ｆ内に侵入させるための第１乃至第３鍵ユニット２０，３０，４０の左右方向の位置の調整量を小さくでき、突出部２４ｄ’，３４ｄ’，４５ｄ’を溝１４ｆ内に簡単に侵入させることができる。すなわち、キーガイド部である突出部２４ｄ’，３４ｄ’，４５ｄ’の左右側面と溝１４ｆの左右内側面とを簡単に係合させることもできる。その結果、この第３実施形態によっても、上記第１実施形態の場合と同様に、押離鍵操作時における鍵の横振れを防止するためにキーガイドクリアランスａを小さくしても、第１乃至第３鍵ユニット２０，３０，４０を鍵フレーム１０に組付ける作業が簡単になる。そして、この組付け易さによりキーガイド部を構成する部材の変形も防止される。
【００８９】
ｃ１．第１変形例
次に、上記第３実施形態の第１変形例について、図１７を用いて説明する。図１７（Ａ）は第３実施形態の第１変形例に係るフレーム側ガイド部材１４の斜視図であり、図１７（Ｂ）は前記フレーム側ガイド部材１４の平面図である。この第１変形例は、上記第３実施形態のフレーム側ガイド部材１４のみを変形させたもので、他の部分に関しては上記第３実施形態と同じであるので、第１乃至第３実施形態及びそれらの各種変形例の場合と同一符号を使用し、変形した部分に関する事項のみを説明して他の部分に関する説明を省略する。
【００９０】
この第１変形例においては、フレーム側ガイド部材１４の上端部の外側端に、後面１４側を除く全ての角部を切欠いた複数の傾斜面（面取り）が設けられている。傾斜面（面取り）１４ｍ，１４ｎは、左右側面１４ｃ，１４ｄと上面１４ｅの角部をそれぞれ切欠いて、上面１４ｅから下方に向かうに従って外側に広がっている。傾斜面１４ｍ，１４ｎは、平面であり、前後方向に延設されている。なお、傾斜面１４ｍ，１４ｎの左右方向の幅は、キーガイドクリアランスａ及びプレガイドクリアランスｂに比べて大きい。傾斜面１４ｍ，１４ｎは、上記第１実施形態の第１及び第３変形例の傾斜面１４ｇ，１４ｈと同種の機能を発揮するもので、第１乃至第３鍵ユニット２０，３０，４０の後端部を下方に移動させた際における、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側面内に侵入させる際のサブガイド（すなわち、プレガイド部のサブガイド）として機能する。
【００９１】
傾斜面（面取り）１４ｏ，１４ｐは、溝１４ｆの左右側面と上面１４ｅの角部をそれぞれ切欠いて、上面１４ｅから下方に向かうに従って外側に広がっている。傾斜面１４ｏ，１４ｐは、平面であり、前後方向に延設されている。なお、傾斜面１４ｏ，１４ｐの左右方向の幅は、キーガイドクリアランスａに比べて大きい。傾斜面１４ｏ，１４ｐは、上記第２実施形態及びその第２変形例の傾斜面１４ｉ，１４ｊと同種の機能を発揮するもので、第１乃至第３鍵ユニット２０，３０，４０の後端部を下方に移動させた際における、鍵側ガイド部材２４，３４，４５の突出部２４ｄ’，３４ｄ’，４５ｄ’をフレーム側ガイド部材１４の溝１４ｆ内に侵入させる際のサブガイド（すなわち、キーガイドガイド部のサブガイド）として機能する。そして、上記第２実施形態の傾斜面１４ｉ，１４ｊ（図１３参照）の場合と同様に、傾斜面１４ｏ，１４ｐの左右外側端から突出部２４ｄ’，３４ｄ’，４５ｄ’の左右外側端までの両距離ｃは、フレーム側ガイド部材１４の左右側面１４ｃ、１４ｄから鍵側ガイド部材２３，３４，４５の左右側壁２４ｂ，２４ｃ，３４ｂ，３４ｃ，４５ｂ，４５ｃの内側面までの両距離であるプレガイドクリアランスｂより大きい（ｃ＞ｂ）。
【００９２】
フレーム側ガイド部材１４の上端部の外側端に設けた他の傾斜面は第１乃至第３鍵ユニット２０，３０，４０の鍵フレーム１０への組付けにはあまり関係しないので、詳しい説明を省略する。この第１変形例に係るフレーム側ガイド部材１４においては、上述した第１実施形態の第１及び第３変形例の傾斜面１４ｇ，１４ｈ、並びに第２実施形態及びその第２変形例の傾斜面１４ｉ，１４ｊも設けられている。
【００９３】
このように構成した第１変形例においては、第１乃至第３鍵ユニット２０，３０，４０の後端部を下方に移動して、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に侵入させる際には、右側壁２４ｃ，３４ｃ，４５ｃ（又は左側壁２４ｂ，３４ｂ，４５ｂ）の下面の内側端を傾斜面１４ｎ（又は傾斜面１４ｍ）の左右方向の幅内に収めればよい。そして、第１乃至３鍵ユニット２０，３０，４０の後端部を下方に移動させれば、鍵側ガイド部材２４，３４，４５は、右側壁２４ｃ，３４ｃ，４５ｃの内側面（又は左側壁２４ｂ，３４ｂ，４５ｂの内側面）の下端を傾斜面１４ｍ（又は傾斜面１４ｎ）に当接させながら斜め下方に移動して、右側壁２４ｃ，３４ｃ，４５ｃの内側面（又は左側壁２４ｂ，３４ｂ，４５ｂの内側面）はフレーム側ガイド部材１４の右側面１４ｄ（又は左側面１４ｃ）と係合し始める。したがって、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に簡単に侵入させることができ、上記第１実施形態の第１変形例と同様な効果を期待できる。
【００９４】
また、第１乃至第３鍵ユニット２０，３０，４０の後端部をさらに下方に移動して、鍵側ガイド部材２４，３４，４５の突出部２４ｄ’，３４ｄ’，４５ｄ’をフレーム側ガイド部材１４の溝１４ｆ内に侵入させる際には、上記第２実施形態の場合と同様に、距離ｃとプレガイドクリアランスｂとの間にはｃ＞ｂなる関係があるので、突出部２４ｄ’，３４ｄ’，４５ｄ’の下面の左右端は傾斜面１４ｏの左端と傾斜面１４ｐの右端との間に位置する。したがって、第１乃至３鍵ユニット２０，３０，４０の後端部を下方に移動させれば、鍵側ガイド部材２４，３４，４５は、突出部２４ｄ’，３４ｄ’，４５ｄ’の下面の左側端（又は右側端）を傾斜面１４ｏ（又は傾斜面１４ｐ）に当接させながら斜め下方に移動して、突出部２４ｄ’，３４ｄ’，４５ｄ’の左側面（又は右側面）は溝１４ｆの左内側面（又は右内側面）と係合し始める。その結果、鍵側ガイド部材２４，３４，４５の突出部２４ｄ’，３４ｄ’，４５ｄ’をフレーム側ガイド部材１４の溝１４ｆ内に簡単に侵入させることができ、上記第２実施形態と同様な効果を期待できる。
【００９５】
ｃ２．第２変形例
次に、上記第３実施形態の第２変形例について、図１８を用いて説明する。図１８（Ａ）は第３実施形態の第２変形例に係る鍵側ガイド部材２４，３４，４５を下方から見た斜視図であり、１８（Ｂ）は前記鍵側ガイド部材２４，３４，４５の下面図である。この第２変形例は、上記第３実施形態の鍵側ガイド部材２４，３４，４５のみを変形させたもので、他の部分に関しては上記第３実施形態と同じであるので、第１乃至第３実施形態及びそれらの各種変形例の場合と同一符号を使用し、変形した部分に関する事項のみを説明して他の部分に関する説明を省略する。
【００９６】
この第２変形例においては、鍵側ガイド部材２４，３４，４５の左側壁２４ｂ，３４ｂ，４５ｂ及び右側壁２４ｃ，３４ｃ，４５ｃの下端部の内側端に、傾斜面（面取り）２４ｉ，３４ｉ，４５ｉ及び傾斜面（面取り）２４ｊ，３４ｊ，４５ｊがそれぞれ設けられている。傾斜面２４ｉ，３４ｉ，４５ｉは、左側壁２４ｂ，３４ｂ，４５ｂの内側面と下面の角部をそれぞれ切欠いて、下面から上方に向かうに従って外側に広がっている。傾斜面２４ｊ，３４ｊ，４５ｊは、右側壁２４ｃ，３４ｃ，４５ｃの内側面と下面の角部をそれぞれ切欠いて、下面から上方に向かうに従って外側に広がっている。傾斜面２４ｉ，２４ｊ，３４ｉ，３４ｊ，４５ｉ，４５ｊは、平面であり、前後方向に延設されている。なお、傾斜面２４ｉ，２４ｊ，３４ｉ，３４ｊ，４５ｉ，４５ｊの左右方向の幅は、キーガイドクリアランスａ及びプレガイドクリアランスｂに比べて大きい。傾斜面２４ｉ，２４ｊ，３４ｉ，３４ｊ，４５ｉ，４５ｊは、上記第１実施形態の第２及び第３変形例の傾斜面２４ｅ，２４ｆ，３４ｅ，３４ｆ，４５ｅ，４５ｆと同種の機能を発揮するもので、第１乃至第３鍵ユニット２０，３０，４０の後端部を下方に移動させた際における、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側面内に侵入させる際のサブガイド（すなわち、プレガイド部のサブガイド）として機能する。
【００９７】
鍵側ガイド部材２４，３４，４５の突出部２４ｄ’，３４ｄ’，４５ｄ’の下端部の左外側端及び右外側端には、傾斜面２４ｍ，３４ｍ，４５ｍ及び傾斜面２４ｎ，３４ｎ，４５ｎがそれぞれ設けられている。傾斜面２４ｍ，３４ｍ，４５ｍは、突出部２４ｄ’，３４ｄ’，４５ｄ’の左外側面と下面の角部をそれぞれ切欠いて、下面から上方に向かうに従って外側に広がっている。傾斜面２４ｎ，３４ｎ，４５ｎは、突出部２４ｄ’，３４ｄ’，４５ｄ’の右外側面と下面の角部をそれぞれ切欠いて、下面から上方に向かうに従って外側に広がっている。傾斜面２４ｍ，２４ｎ，３４ｍ，３４ｎ，４５ｍ，４５ｎは、平面であり、前後方向に延設されている。なお、傾斜面２４ｍ，２４ｎ，３４ｍ，３４ｎ，４５ｍ，４５ｎの左右方向の幅は、キーガイドクリアランスａに比べて大きい。傾斜面２４ｍ，２４ｎ，３４ｍ，３４ｎ，４５ｍ，４５ｎは、上記第２実施形態の第１及び第２変形例の傾斜面２４ｇ，２４ｈ，３４ｇ，３４ｈ，４５ｇ，４５ｈと同種の機能を発揮するもので、第１乃至第３鍵ユニット２０，３０，４０の後端部を下方に移動させた際における、鍵側ガイド部材２４，３４，４５の突出部２４ｄ’，３４ｄ’，４５ｄ’をフレーム側ガイド部材１４の溝１４ｆ内に侵入させる際のサブガイド（すなわち、キーガイドガイド部のサブガイド）として機能する。そして、上記第２実施形態の第１変形例の傾斜面２４ｇ，２４ｈ，３４ｇ，３４ｈ，４５ｇ，４５ｈ（図１４参照）の場合と同様に、傾斜面２４ｍ，２４ｎ，３４ｍ，３４ｎ，４５ｍ，４５ｎの左右内側端からフレーム側ガイド部材１４の溝１４ｆの左右内側面までの両距離ｄは、フレーム側ガイド部材の左右側面１４ｃ，１４ｄから鍵側ガイド部材２４，３４，４５の左右側壁２４ｂ，２４ｃ，３４ｂ，３４ｃ，４５ｂ，４５ｃの内側面までの両距離であるプレガイドクリアランスｂより大きい（ｄ＞ｂ）。
【００９８】
また、鍵側ガイド部材２４，３４，４５においては、前壁２４ａ，３４ａ，４５ａの下端部の内側端、左側壁２４ｂ，３４ｂ，４５ｂの下端部の前端、右側壁２４ｃ，３４ｃ，４５ｃの下端部の前端、及び突出部２４ｄ’，３４ｄ’，４５ｄ’の下端部の前端にも、傾斜面がそれぞれ設けられている。しかし、これらの傾斜面は第１乃至第３鍵ユニット２０，３０，４０の鍵フレーム１０への組付けにはあまり関係しないので、詳しい説明を省略する。
【００９９】
このように構成した第２変形例においては、第１乃至第３鍵ユニット２０，３０，４０の後端部を下方に移動して、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に侵入させる際には、フレーム側ガイド部材１４の右側面１４ｄ（又は左側面１４ｃ）の上端を傾斜面２４ｊ，３４ｊ，４５ｊ（又は傾斜面２４ｉ，３４ｉ，４５ｉ）の左右方向の幅内に収めればよい。そして、第１乃至３鍵ユニット２０，３０，４０の後端部を下方に移動させれば、鍵側ガイド部材２４，３４，４５は、右側面１４ｄ（又は左側面１４ｃ）の上端を傾斜面２４ｊ，３４ｊ，４５ｊ（又は傾斜面２４ｉ，３４ｉ，４５ｉ）に当接させながら斜め下方に移動して、右側壁２４ｃ，３４ｃ，４５ｃの内側面（又は左側壁２４ｂ，３４ｂ，４５ｂの内側面）がフレーム側ガイド部材１４の右側面１４ｄ（又は左側面１４ｃ）と係合し始める。したがって、フレーム側ガイド部材１４の左右側面１４ｃ，１４ｄを鍵側ガイド部材２４，３４，４５の左右側壁２４ｂ，２４ｃ，３４ｂ，３４ｃ，４５ｂ，４５ｃの内側に簡単に侵入させることができ、上記第１実施形態の第２変形例と同様な効果を期待できる。
【０１００】
また、第１乃至第３鍵ユニット２０，３０，４０の後端部をさらに下方に移動して、鍵側ガイド部材２４，３４，４５の突出部２４ｄ’，３４ｄ’，４５ｄ’をフレーム側ガイド部材１４の溝１４ｆ内に侵入させる際には、上記第２実施形態の第１変形例の場合と同様に距離ｄとプレガイドクリアランスｂとの間にはｄ＞ｂなる関係があるので、溝１４ｆの左内側面の上端（又は右内側面の上端）が傾斜面２４ｍ，３４ｍ，４５ｍ（又は傾斜面２４ｎ，３４ｎ，４５ｎ）の左外側端（又は右外側端）よりも内側に位置する。したがって、第１乃至３鍵ユニット２０，３０，４０の後端部を下方に移動させれば、鍵側ガイド部材２４，３４，４５は、溝１４ｆの左内側面（又は右内側面）の上端を傾斜面２４ｍ，３４ｍ，４５ｍ（又は傾斜面２４ｎ，３４ｎ，４５ｎ）に当接させながら斜め下方に移動して、突出部２４ｄ’，３４ｄ’，４５ｄ’の左側面（又は右側面）は溝１４ｆの左内側面（又は右内側面）と係合し始める。したがって、鍵側ガイド部材２４，３４，４５の突出部２４ｄ’，３４ｄ’，４５ｄ’をフレーム側ガイド部材１４の溝１４ｆ内に簡単に侵入させることができ、上記第２実施形態の第１変形例と同様な効果を期待できる。
【０１０１】
なお、この第２変形例に係る鍵側ガイド部材２４，３４，４５においても、上述した第１実施形態の第２及び第３変形例の傾斜面２４ｅ，２４ｆ，３４ｅ，３４ｆ，４５ｅ，４５ｆ、並びに第２実施形態の第１及び第２変形例の傾斜面２４ｇ，２４ｈ，３４ｇ，３４ｈ，４５ｇ，４５ｈを設けるようにしてもよい。
【０１０２】
ｄ．その他の変形例
なお、本発明に係る鍵盤装置は、上記第１乃至第３実施形態及びそれらの各種変形例に限定されるものではなく、適宜変更して実施することが可能である。
【０１０３】
上記第１乃至第３実施形態及びそれらの各種変形例では、全ての傾斜面１４ｇ，１４ｈ，１４ｉ，１４ｊ，１４ｍ，１４ｎ，１４ｏ，１４ｐ，２４ｅ，３４ｅ，４５ｅ，２４ｆ，３４ｆ，４５ｆ，２４ｇ，３４ｇ，４５ｇ，２４ｈ，３４ｈ，４５ｈ，２４ｉ，３４ｉ，４５ｉ，２４ｊ，３４ｊ，４５ｊ，２４ｍ，３４ｍ，４５ｍ，２４ｎ，３４ｎ，４５ｎを平面としたが、これらの傾斜面の一部又は全部を、平面ではなく、曲面状、球面状などにしてもよい。
【０１０４】
また、上記第１乃至第３実施形態及びそれらの各種変形例では、溝１４ｆを有するガイド部材を鍵フレーム１０と一体的に形成したフレーム側ガイド部材１４とするとともに、左右側壁２４ｂ，２４ｃ，３４ｂ，３４ｃ，４５ｂ，４５ｃ及び突出部２４ｄ，３４ｄ，４５ｄ，２４ｄ’，３４ｄ’，４５ｄ’を有するガイド部材を白鍵２１，３１及び黒鍵４１と一体的に形成した鍵側ガイド部材２４，３４，４５とした。しかし、溝１４ｆを有するガイド部材を白鍵２１，３１及び黒鍵４１と一体的に形成した鍵側ガイド部材とするとともに、左右側壁２４ｂ，２４ｃ，３４ｂ，３４ｃ，４５ｂ，４５ｃ及び突出部２４ｄ，３４ｄ，４５ｄ，２４ｄ’，３４ｄ’，４５ｄ’を有するガイド部材を鍵フレーム１０と一体的に形成したフレーム側ガイド部材としてもよい。すなわち、上述した鍵側ガイド部材２４，３４，４５，を鍵フレーム１０側に設けるとともに、上述したフレーム側ガイド部材１４を白鍵２１，３１及び黒鍵４１側にそれぞれ設けるようにしてもよい。
【０１０５】
この場合、上述したフレーム側ガイド部材１４の前面１４ａが後方を向くように配置して、白鍵２１，３１及び黒鍵４１と一体的に形成する。また、鍵側ガイド部材２４，３４．４５の前壁２４ａ，３４ａ，４５ａを後方に位置させて、左右側壁２４ｂ，２４ｃ，３４ｂ，３４ｃ，４５ｂ，４５ｃ及び突出部２４ｄ，３４ｄ，４５ｄ，２４ｄ’，３４ｄ’，４５ｄ’が前方に突出するように配置して、鍵フレーム１０と一体的に形成する。また、この場合には、白鍵２１，３１及び黒鍵４１側に設けたガイド部材（上述したフレーム側ガイド部材１４）の下面は、鍵フレーム１０側に設けたガイド部材（上述した鍵側ガイド部材２４，３４，４５）の下面すなわち鍵フレーム１０の下段壁１１の上面から所定距離だけ上方に位置するようにする。
【０１０６】
そして、第１乃至第３鍵ユニット２０，３０，４０を鍵フレーム１０に組付ける際には、白鍵２１，３１及び黒鍵４１側に設けたガイド部材（上述したフレーム側ガイド部材１４）の左右側面１４ｃ，１４ｄを鍵フレーム１０側に設けたガイド部材（上述した鍵側ガイド部材２４，３４，４５）の左右側壁２４ｂ，２４ｃ，３４ｂ，３４ｃ，４５ｂ，４５ｃ内に侵入させる。また、鍵フレーム１０側に設けたガイド部材（上述した鍵側ガイド部材２４，３４，４５）の突出部２４ｄ，３４ｄ，４５ｄ，２４ｄ’，３４ｄ’，４５ｄ’を白鍵２１，３１及び黒鍵４１側に設けたガイド部材（上述したフレーム側ガイド部材１４）の溝１４ｆ内に侵入させる。そして、白鍵２１，３１及び黒鍵４１側に設けたガイド部材（上述したフレーム側ガイド部材１４）を鍵フレーム１０側に設けたガイド部材（上述した鍵側ガイド部材２４，３４，４５）に係合させるようにする。
【０１０７】
また、上記第１乃至第３実施形態及びそれらの各種変形例では、フレーム側ガイド部材１４の左右側面１４ｃ，１４ｄと鍵側ガイド部材２４，３４，４５の左右側壁２４ｂ，２４ｃ，３４ｂ，３４ｃ，４５ｂ，４５ｃの内側面とでプレガイド部を構成し、かつフレーム側ガイド部材１４の溝１４ｆと鍵側ガイド部材２４，３４，４５の突出部２４ｄ，３４ｄ，４５ｄ，２４ｄ’，３４ｄ’，４５ｄ’とでキーガイド部を構成するようにした。しかし、これに代えて、溝１４ｆと突出部２４ｄ，３４ｄ，４５ｄ，２４ｄ’，３４ｄ’，４５ｄ’とでプレガイド部を構成し、かつ左右側面１４ｃ，１４ｄと左右側壁２４ｂ，２４ｃ，３４ｂ，３４ｃ，４５ｂ，４５ｃの内側面とでキーガイド部を構成するようにしてもよい。この場合、溝１４ｆの内側面と突出部２４ｄ，３４ｄ，４５ｄ，２４ｄ’，３４ｄ’，４５ｄ’の側面との距離（上述したキーガイドクリアランスａ）と、左右側面１４ｃ，１４ｄと左右側壁２４ｂ，２４ｃ，３４ｂ，３４ｃ，４５ｂ，４５ｃの内側面との距離（上述したプレガイドクリアランスｂ）との関係を逆にして、ａ＞ｂの関係にする。
【０１０８】
この場合、上記第１及び第２実施形態及びそれらの各種変形例のように、鍵側ガイド部材２４，３４，４５をフレーム側ガイド部材１４に前方から係合させる場合には、突出部２４ｄ，３４ｄ，４５ｄの前後方向の長さを左右側壁２４ｂ，２４ｃ，３４ｂ，３４ｃ，４５ｂ，４５ｃの前後方向の長さよりも長くするとともに、溝１４ｆの深さも突出部２４ｄ，３４ｄ，４５ｄの前後方向の長さに合わせて深くする。一方、上記第３実施形態及びその各種変形例のように、鍵側ガイド部材２４，３４，４５をフレーム側ガイド部材１４に上方から係合させる場合には、突出部２４ｄ’，３４ｄ’，４５ｄ’の上下方向の長さを左右側壁２４ｂ，２４ｃ，３４ｂ，３４ｃ，４５ｂ，４５ｃの上下方向の長さよりも長くして、突出部２４ｄ’，３４ｄ’，４５ｄ’の下端位置が左右側壁２４ｂ，２４ｃ，３４ｂ，３４ｃ，４５ｂ，４５ｃの下端位置よりも上方とする。そして、第１乃至第３鍵ユニット２０，３０，４０の鍵フレーム１０への組付け時には、最初に突出部２４ｄ，３４ｄ，４５ｄ，２４ｄ’，３４ｄ’，４５ｄ’が溝１４ｆ内に侵入し、次にフレーム側ガイド部材１４の左右側面１４ｃ，１４ｄが鍵側ガイド部材２４，３４，４５の左右側壁２４ｂ，２４ｃ，３４ｂ，３４ｃ，４５ｂ，４５ｃ内に侵入するようにする。
【０１０９】
また、上記第１乃至第３実施形態及びそれらの各種変形例では、第１鍵ユニット２０の連結部２３、第２鍵ユニット３０の連結部３３、及び第３鍵ユニット４０の連結部４３を鍵フレーム１０の上段壁１３に順に載置し、第３鍵ユニット４０に設けたフック部４４を連結部３３，４４及び上段壁１３を貫通させるとともに係止用爪４４ａを上段壁１３の下面に係合させ、その後にねじにより第１乃至第３鍵ユニット２０，３０，４０を鍵フレーム１０に組付け固定するようにした。しかし、第１乃至第３鍵ユニット２０，３０，４０の鍵フレーム１０に対する組付け固定方法は前記方法に限らず、種々の方法を採用できる。たとえば、フック部４４を省略し、単に第１乃至第３鍵ユニット２０，３０，４０の連結部２３，３３，４３を鍵フレーム１０の上段壁１３に単にねじにより固定したり、接着剤を用いて固定するようにしてもよい。
【０１１０】
さらに、上記第１乃至第３実施形態及びそれらの各種変形例では、複数の白鍵２１を一体形成した第１鍵ユニット２０、複数の白鍵３１を一体形成した第２鍵ユニット２０、及び複数の黒鍵４１を一体形成した第３鍵ユニット３０を鍵フレーム１０に組付けるようにした。しかし、１つずつの白鍵及び黒鍵をそれぞれ独立して鍵フレーム１０に組付ける場合にも、本発明は適用される。
【符号の説明】
【０１１１】
１０…鍵フレーム、１４…フレーム側ガイド部材、１４ａ…前面、１４ｂ，１４ｃ…側面、１４ｆ…溝、１４ｇ，１４ｈ，１４ｉ，１４ｊ，１４ｍ，１４ｎ，１４ｏ，１４ｐ…傾斜面、２０…第１鍵ユニット、２１…白鍵、２４…鍵側ガイド部材、２４ａ…前壁、２４ｂ，２４ｃ…側壁、２４ｄ，２４ｄ’…突出部、２４ｅ，２４ｆ，２４ｇ，２４ｈ，２４ｉ，２４ｊ，２４ｍ，２４ｎ…傾斜面、３０…第２鍵ユニット、３１…白鍵、３４…鍵側ガイド部材、３４ａ…前壁、３４ｂ，３４ｃ…側壁、３４ｄ，３４ｄ’…突出部、３４ｅ，３４ｆ，３４ｇ，３４ｈ，３４ｉ，３４ｊ，３４ｍ，３４ｎ…傾斜面、４０…第３鍵ユニット、４１…黒鍵、４５…鍵側ガイド部材、４５ａ…前壁、４５ｂ，４５ｃ…側壁、４５ｄ，４５ｄ’…突出部、４５ｅ，４５ｆ，４５ｇ，４５ｈ，４５ｉ，４５ｊ，４５ｍ，４５ｎ…傾斜面
【図１】
0006476736.tif 000002
【図２】
0006476736.tif 000003
【図３】
0006476736.tif 000004
【図４】
0006476736.tif 000005
【図５】
0006476736.tif 000006
【図６】
0006476736.tif 000007
【図７】
0006476736.tif 000008
【図８】
0006476736.tif 000009
【図９】
0006476736.tif 000010
【図１０】
0006476736.tif 000011
【図１１】
0006476736.tif 000012
【図１２】
0006476736.tif 000013
【図１３】
0006476736.tif 000014
【図１４】
0006476736.tif 000015
【図１５】
0006476736.tif 000016
【図１６】
0006476736.tif 000017
【図１７】
0006476736.tif 000018
【図１８】
0006476736.tif 000019